(57)【要約】医療流体送達システムは、関連付けられる出力データまたは関連付けられる試験データのうちの少なくとも１つを有する構成要素を含む、医療流体送達機械と、（ｉ）構成要素に関する構成要素出力交換限界および構成要素出力ソフト限界または（ｉｉ）構成要素に関する構成要素試験交換限界または構成要素試験ソフト限界のうちの少なくとも１つと、（ｉ）または（ｉｉ）のうちの少なくとも１つを記憶し、かつ（ｉ）に関して出力データを分析し、構成要素が構成要素出力交換限界および構成要素出力ソフト限界に対して良好に機能している程度の第１のインジケーションを提供し、（ｉｉ）に関して試験データを分析し、少なくとも１つの構成要素が構成要素試験交換限界および構成要素試験ソフト限界に対して良好に試験している程度の第２のインジケーションを提供するようにプログラムされる、コンピュータとを含む。
2019534745.tif 000002
【特許請求の範囲】
【請求項１】
医療流体送達システムであって、
関連付けられる出力データを生産する少なくとも１つの構成要素を含む医療流体送達機械と、
前記少なくとも１つの構成要素に関する少なくとも１つの構成要素交換限界と、
前記少なくとも１つの構成要素交換限界を記憶し、かつ前記出力データを分析し、前記少なくとも１つの構成要素がその構成要素交換限界に対して良好に機能している程度のインジケーションを提供するようにプログラムされる、コンピュータと
を備える、医療流体送達システム。
【請求項２】
前記医療流体送達機械は、ディスプレイデバイスを含み、前記コンピュータは、前記医療流体送達機械の制御ユニットによって提供され、前記インジケーションは、前記医療流体送達機械の前記ディスプレイデバイスによって表示される、請求項１に記載の医療流体送達システム。
【請求項３】
前記コンピュータは、ディスプレイデバイスを有する遠隔コンピュータであり、前記医療流体送達機械は、少なくとも１つのサーバを介して前記遠隔コンピュータとデータ通信し、前記インジケーションは、前記遠隔コンピュータの前記ディスプレイデバイスによって表示される、請求項１に記載の医療流体送達システム。
【請求項４】
前記関連付けられる出力データは、流率を含み、前記構成要素交換限界のうちの少なくとも１つは、構成要素交換流率である、請求項１に記載の医療流体送達システム。
【請求項５】
前記少なくとも１つの構成要素は、（ｉ）濾過器であって、前記流率は、前記濾過器の下流の流率である、濾過器、（ｉｉ）医療流体送達ポンプであって、前記流率は、前記医療流体送達ポンプの下流の流率である、医療流体送達ポンプ、または（ｉｉｉ）使い捨てアイテムであって、前記流率は、前記使い捨てアイテムの下流の流率である、使い捨てアイテムを含む、請求項４に記載の医療流体送達システム。
【請求項６】
前記コンピュータによって記憶される前記少なくとも１つの構成要素交換限界に加えて、少なくとも１つの構成要素ソフト限界を含み、前記少なくとも１つの構成要素がその構成要素交換限界に対して良好に機能している程度のインジケーションは、前記構成要素がそのソフト限界とその構成要素交換限界との間で機能しているかどうかを含む、請求項１に記載の医療流体送達システム。
【請求項７】
前記コンピュータは、そのソフト限界およびその構成要素交換限界に対して機能する前記少なくとも１つの構成要素を示す少なくとも１つの構成要素性能グラフを生成するようにプログラムされる、請求項６に記載の医療流体送達システム。
【請求項８】
前記コンピュータは、前記少なくとも１つの構成要素がそのソフト限界とその構成要素交換限界との間で機能しているとき、構成要素性能がその交換限界に到達するであろうときの推定値を生成するようにプログラムされる、請求項６に記載の医療流体送達システム。
【請求項９】
前記コンピュータは、遠隔コンピュータであり、前記医療流体送達機械は、少なくとも１つのサーバを介して前記遠隔コンピュータとデータ通信し、そのソフト限界とその構成要素交換限界との間で機能する各構成要素を示す前記コンピュータによって提供されるファイルを含む、請求項６に記載の医療流体送達システム。
【請求項１０】
前記コンピュータは、遠隔コンピュータであり、前記医療流体送達機械は、少なくとも１つのサーバを介して前記遠隔コンピュータとデータ通信し、そのソフト限界とその構成要素交換限界との間で機能する各機械の各構成要素を示す前記コンピュータによって提供されるファイルを含む、請求項６に記載の医療流体送達システム。
【請求項１１】
前記コンピュータは、各処置が前記医療流体送達デバイスによって実施された後、前記構成要素と関連付けられる前記出力データを受信する、請求項１に記載の医療流体送達システム。
【請求項１２】
医療流体送達システムであって、
試験データを生産するために試験を受ける少なくとも１つの構成要素を含む医療流体送達機械と、
前記少なくとも１つの構成要素に関する少なくとも１つの構成要素交換限界と、
前記少なくとも１つの構成要素交換限界を記憶し、かつ前記試験データを分析し、前記少なくとも１つの構成要素がその構成要素交換限界に対して良好に試験している程度のインジケーションを提供するようにプログラムされる、コンピュータと
を備える、医療流体送達システム。
【請求項１３】
前記少なくとも１つの構成要素は、前記医療流体送達機械のためのセンサを含み、前記試験は、前記センサからの出力を分析する、請求項１２に記載の医療流体送達システム。
【請求項１４】
前記センサは、圧力センサ、伝導率センサ、または温度センサである、請求項１３に記載の医療流体送達システム。
【請求項１５】
前記医療流体送達機械は、空気圧源、圧力センサを含み、前記試験は、前記少なくとも１つの構成要素が、前記圧力センサによって感知される前記源を介した空気圧を受ける圧力減衰試験である、請求項１２に記載の医療流体送達システム。
【請求項１６】
前記少なくとも１つの構成要素は、（ｉ）濾過膜を含む濾過器であって、前記圧力減衰試験は、前記濾過膜を試験する、濾過器、（ｉｉ）流体送達構成要素であって、前記圧力減衰試験は、漏出に関して前記流体送達構成要素を試験する、流体送達構成要素、（ｉｉｉ）使い捨て構成要素であって、前記圧力減衰試験は、漏出に関して前記使い捨て構成要素を試験する、使い捨て構成要素、または（ｉｖ）流体ラインであって、前記圧力減衰試験は、漏出に関して前記流体ラインを試験する、流体ラインを含む、請求項１５に記載の医療流体送達システム。
【請求項１７】
前記医療流体送達機械は、ディスプレイデバイスを含み、前記コンピュータは、前記医療流体送達機械の制御ユニットによって提供され、前記インジケーションは、前記医療流体送達機械の前記ディスプレイデバイスによって表示される、請求項１２に記載の医療流体送達システム。
【請求項１８】
前記コンピュータは、ディスプレイデバイスを有する遠隔コンピュータであり、前記医療流体送達機械は、少なくとも１つのサーバを介して前記遠隔コンピュータとデータ通信し、前記インジケーションは、前記遠隔コンピュータの前記ディスプレイデバイスによって表示される、請求項１２に記載の医療流体送達システム。
【請求項１９】
前記コンピュータによって記憶される前記少なくとも１つの構成要素交換限界に加えて、少なくとも１つの構成要素ソフト限界を含み、前記少なくとも１つの構成要素がその構成要素交換限界に対して良好に試験している程度のインジケーションは、構成要素試験性能がそのソフト限界とその構成要素交換限界との間にあるかどうかを含む、請求項１２に記載の医療流体送達システム。
【請求項２０】
前記コンピュータは、そのソフト限界およびその構成要素交換限界に対する前記少なくとも１つの構成要素試験性能を示す少なくとも１つの試験性能グラフを生成するようにプログラムされる、請求項１９に記載の医療流体送達システム。
【請求項２１】
前記コンピュータは、前記少なくとも１つの構成要素試験性能がそのソフト限界とその構成要素交換限界との間にあるとき、構成要素試験性能がその交換限界に到達するであろうときの推定値を生成するようにプログラムされる、請求項１９に記載の医療流体送達システム。
【請求項２２】
前記コンピュータは、遠隔コンピュータであり、前記医療流体送達機械は、少なくとも１つのサーバを介して前記遠隔コンピュータとデータ通信し、そのソフト限界とその構成要素交換限界との間の試験性能を有する各構成要素を示す前記コンピュータによって提供されるファイルを含む、請求項１９に記載の医療流体送達システム。
【請求項２３】
前記コンピュータは、遠隔コンピュータであり、前記医療流体送達機械は、少なくとも１つのサーバを介して前記遠隔コンピュータとデータ通信し、そのソフト限界とその構成要素交換限界との間の試験性能を有する各機械の各構成要素を示す前記コンピュータによって提供されるファイルを含む、請求項１９に記載の医療流体送達システム。
【請求項２４】
前記コンピュータは、各処置が前記医療流体送達デバイスによって実施された後、前記構成要素と関連付けられる前記試験データを受信する、請求項１２に記載の医療流体送達システム。
【請求項２５】
医療流体送達システムであって、
関連付けられる出力データおよび関連付けられる試験データを産出する少なくとも１つの構成要素を含む医療流体送達機械と、
前記少なくとも１つの構成要素に関する少なくとも１つの構成要素出力交換限界と、
前記少なくとも１つの構成要素に関する少なくとも１つの構成要素試験交換限界と、
前記少なくとも１つの構成要素出力交換限界および前記少なくとも１つの構成要素試験交換限界を記憶し、かつ前記出力データおよび前記試験データを分析し、前記少なくとも１つの構成要素がその構成要素出力交換限界に対して良好に機能している程度の第１のインジケーションおよび前記少なくとも１つの構成要素がその前記構成要素試験交換限界に対して良好に試験している程度の第２のインジケーションを提供するようにプログラムされる、コンピュータと
を備える、医療流体送達システム。
【請求項２６】
医療流体送達システムであって、
関連付けられる出力データまたは関連付けられる試験データのうちの少なくとも１つを産出する構成要素を含む、医療流体送達機械と、
（ｉ）前記構成要素に関する構成要素出力交換限界または構成要素出力ソフト限界または（ｉｉ）前記構成要素に関する構成要素試験交換限界または構成要素試験ソフト限界のうちの少なくとも１つと、
（ｉ）または（ｉｉ）のうちの少なくとも１つを記憶し、かつ（ｉ）に関して前記出力データを分析し、前記構成要素が前記構成要素出力交換限界および前記構成要素出力ソフト限界に対して良好に機能している程度の第１のインジケーションを提供し、（ｉｉ）に関して前記試験データを分析し、前記少なくとも１つの構成要素が前記構成要素試験交換限界および前記構成要素試験ソフト限界に対して良好に試験している程度の第２のインジケーションを提供するようにプログラムされる、コンピュータと
を備える、医療流体送達システム。
【請求項２７】
医療流体送達システムであって、
処置毎に、少なくとも１つの濃縮物を所望の医療流体処置のために好適にされた水と混合し、医療流体を形成するために、複数の処置にわたって使い捨てセットを用いて動作する医療流体送達機械と、
前記医療流体送達機械によって混合された前記医療流体の正確度を試験するように構成されるセンサであって、前記センサは、混合正確度出力を生産する、センサと、
前記センサによって提供された前記混合正確度出力を分析し、前記使い捨てセットが交換される必要があるかどうかを決定するようにプログラムされるコンピュータと
を備える、医療流体送達システム。
【請求項２８】
前記コンピュータは、ローリング平均を使用し、前記使い捨てセットが交換される必要があるかどうかを決定するようにプログラムされる、請求項２８に記載の医療流体送達システム。
【請求項２９】
前記コンピュータは、前記医療流体送達機械のためのコンピュータまたは前記医療流体送達機械から遠隔に位置するコンピュータである、請求項２８に記載の医療流体送達システム。
【請求項３０】
前記コンピュータは、前記使い捨てセットが（ｉ）現在交換される必要があるか、または（ｉｉ）将来の処置のために交換される必要があるかのうちの少なくとも１つを決定するようにプログラムされる、請求項２８に記載の医療流体送達システム。
【発明の詳細な説明】
【技術分野】
【０００１】
（優先権主張）
本願は、２０１７年８月２８日に出願され“Ｍｅｄｉｃａｌ  Ｆｌｕｉｄ  Ｔｈｅｒａｐｙ  Ｍａｃｈｉｎｅ  Ｉｎｃｌｕｄｉｎｇ  Ｓｅｒｖｉｃｉｎｇ  Ｒｅｇｉｍｅ  Ｔｈｅｒｅｆｏｒｅ”と題された米国特許出願第１５／６８８，０６２号に対する優先権およびその利益を主張するものであり、該出願は、２０１６年１０月３日に出願され“Ｍｅｄｉｃａｌ  Ｆｌｕｉｄ  Ｔｈｅｒａｐｙ  Ｍａｃｈｉｎｅ  Ｉｎｃｌｕｄｉｎｇ  Ｓｅｒｖｉｃｉｎｇ  Ｒｅｇｉｍｅ  Ｔｈｅｒｅｆｏｒｅ”と題された米国仮出願第６２／４０３，５６８号に対する優先権およびその利益を主張するものであり、これらの各々の内容は参照により、本明細書中に援用され、依拠される。
【０００２】
本開示は、概して、医療流体送達機械のためのデバイス、システム、および方法に関する。より具体的には、本開示は、腎不全治療機械等の医療流体送達機械において使用される構成要素の保守に関する。
【背景技術】
【０００３】
腎不全治療機械に関して、種々の原因に起因して、人物の腎臓系は、機能しなくなり得る。腎不全は、いくつかの生理学的撹乱を生じさせる。水分およびミネラルの平衡を保つ、または日常の代謝負荷を排泄することは、もはや可能ではなくなる。窒素代謝の毒性最終生産物（尿素、クレアチニン、尿酸、およびその他）は、血液および組織中に蓄積し得る。
【０００４】
腎臓不全および低減された腎臓機能は、透析を用いて処置されている。透析は、身体から、正常に機能している腎臓がそうでなければ除去するであろう老廃物、毒素、および過剰な水分を除去する。腎臓機能の置換のための透析処置は、処置が救命的であるため、多くの人々にとって重要である。
【０００５】
１つのタイプの腎臓不全治療は、一般に、患者の血液から老廃物を除去するために拡散を使用する、血液透析（「ＨＤ」）である。拡散勾配が、拡散を引き起こすために、血液と透析液または透析流体と呼ばれる電解質溶液との間の半浸透性透析器を横断して起こる。
【０００６】
血液濾過（「ＨＦ」）は、患者の血液からの毒素の対流輸送に依拠する代替腎置換治療である。ＨＦは、処置の間に体外回路に代替液または補液（典型的には、１０〜９０リットルのそのような流体）を添加することによって遂行される。代替液および処置の間に患者によって蓄積される流体は、一連のＨＦ処置にわたって限外濾過され、中および大分子を除去する際に特に有益である対流輸送機構を提供する（血液透析では、透析セッションの間に得られる流体とともに、少量の老廃物が除去されるが、しかしながら、その限外濾過液の除去からの溶質牽引は、対流クリアランスを提供するために十分ではない）。
【０００７】
血液透析濾過（「ＨＤＦ」）は、対流および拡散クリアランスを組み合わせる処置モダリティである。ＨＤＦは、拡散クリアランスを提供するために、標準的血液透析と同様に、透析器を通して流動する透析流体を使用する。加えて、代替液が、体外回路に直接提供され、対流クリアランスを提供する。
【０００８】
大部分のＨＤ（ＨＦ、ＨＤＦ）処置は、センターで行われる。在宅血液透析（「ＨＨＤ」）への傾向が、部分的に、ＨＨＤが毎日実施され得、典型的には、週に２または３回行われるセンター内血液透析処置に優る治療利益を提供するため、今日存在する。研究によって、頻繁な処置が、より頻度が低いが、おそらく、より長い処置を受ける患者よりも多くの毒素および老廃物を除去することが示されている。より頻繁な処置を受ける患者は、処置に先立って２または３日分の毒素を蓄積しているセンター内患者ほど多くのダウンサイクルを被らない。ある地域では、最も近い透析センターは、患者の自宅から何マイルも離れ、ドアツードアの処置時間で１日の大部分を費やす場合がある。ＨＨＤは、１晩で、または患者がリラックスしている、働いている、または別様に生産的である間の日中に行われ得る。
【０００９】
別のタイプの腎臓不全治療は、腹膜透析であり、これは、透析流体とも呼ばれる透析液をカテーテルを介して患者の腹膜腔の中に注入する。透析流体は、腹膜腔の腹膜に接触する。老廃物、毒素、および過剰な水分が、拡散および浸透に起因して、患者の血流から、腹膜を通して、透析流体の中に通過し、すなわち、浸透勾配が、膜を横断して起こる。透析における浸透剤が、浸透勾配を提供する。使用済みまたは消耗済み透析流体は、患者から排出され、患者から老廃物、毒素、および過剰な水分を除去する。本サイクルは、例えば、複数回繰り返される。
【００１０】
持続的外来腹膜透析（「ＣＡＰＤ」）、自動化腹膜透析（「ＡＰＤ」）、および潮汐流透析、および持続的流動腹膜透析（「ＣＦＰＤ」）を含む、種々のタイプの腹膜透析治療が存在する。ＣＡＰＤは、手動透析処置である。ここでは、患者は、使用済みまたは消耗済み透析液流体が腹膜腔から排出することを可能にするために、埋込されたカテーテルをドレインに手動で接続する。患者は、次いで、カテーテルを通して患者の中に新鮮な透析流体を注入するために、新鮮な透析流体のバッグにカテーテルを接続する。患者は、カテーテルを新鮮な透析流体バッグから切り離し、透析流体が腹膜腔内で滞留することを可能にし、老廃物、毒素、および過剰な水分の移送が、起こる。ある滞留周期後、患者は、例えば、１日あたり４回手動透析手技を繰り返し、各処置は、約１時間続く。手動腹膜透析は、患者から有意な量の時間および努力を要求し、改良の余地がある。
【００１１】
自動化腹膜透析（「ＡＰＤ」）は、透析処置が排出、充填、および滞留サイクルを含む点においてＣＡＰＤに類似する。しかしながら、ＡＰＤ機械は、典型的には、患者が眠っている間に自動的にサイクルを実施する。ＡＰＤ機械は、処置サイクルを手動で実施する必要性から、かつ日中に供給物を輸送する必要性から患者を解放する。ＡＰＤ機械は、埋込されたカテーテルに、新鮮な透析流体の源またはバッグに、および流体ドレインに流体的に接続する。ＡＰＤ機械は、新鮮な透析流体を透析流体源から、カテーテルを通して、患者の腹膜腔の中に圧送する。ＡＰＤ機械はまた、透析流体が腔内で滞留することを可能にし、廃棄物、毒素、および過剰な水分の移送が起こることを可能にする。源は、複数の無菌透析流体バッグを含み得る。
【００１２】
ＡＰＤ機械は、使用済みまたは消耗済み透析液を腹膜腔から、カテーテルを通して、ドレインに圧送する。手動プロセスのように、いくつかの排出、充填、および滞留サイクルは、透析の間に起こる。「最後の充填」は、ＡＰＤの終わりに起こり、次の処置まで患者の腹膜腔内に留まる。
【００１３】
機械によって実施される上記のモダリティのいずれも、経時的に摩耗し、交換を必要とする構成要素を含む。構成要素を頻繁に交換しすぎないための本質的な苦労が存在し、その後で構成要素が交換されるまで機械が中断する、完全な構成要素故障を待つことに対する過剰なコストおよび修復時間につながり、患者の処置スケジュールの混乱、可能性として考えられる機械の否定的な患者および医師／臨床医認識、ならび即座に保守する必要性につながる。
【００１４】
「Ｄｉａｌｙｓｉｓ  Ｍａｃｈｉｎｅ  ｗｉｔｈ  Ｓｅｒｖｉｃｉｎｇ  Ｉｎｄｉｃａｔｏｒ」と題された米国特許第７，８７３，４８９号が、１つの保守形態を開示している。本形態は、基本的に、２つの因子、すなわち、構成要素が配設されている時間対使用された持続時間に注目する。本形態は、使用された持続時間に関する上限と、構成要素が配設されている時間に関する下限と、構成要素が配設されている時間に関する上限とを含む、３つの限界を設定する。構成要素は、使用された持続時間に関する上限を満たしている、または超えている場合であっても、これが構成要素が配設されている時間に関するその下限に到達するまで交換に適格ではない。しかしながら、構成要素は、その使用された持続時間にかかわらず、これが構成要素が配設されている時間に関するその上限に到達すると、交換されるであろう。
【００１５】
米国特許第７，８７３，４８９号の保守形態は、従来技術において存在していたものと異なり得るが、依然として実質的な改良の余地が存在すると考えられる。
【先行技術文献】
【特許文献】
【００１６】
【特許文献１】米国特許第７，８７３，４８９号明細書
【発明の概要】
【課題を解決するための手段】
【００１７】
本明細書に説明される保守形態は、例えば、血漿交換、血液透析（「ＨＤ」）、血液濾過（「ＨＦ」）、血液透析濾過（「ＨＤＦ」）、および持続的腎置換治療（「ＣＲＲＴ」）処置のための流体送達に適用可能である。本明細書に説明される保守形態はまた、腹膜透析（「ＰＤ」）および静脈内薬物送達にも適用可能である。これらのモダリティは、本明細書では、集合的に、または実質的に個別に、医療流体送達と称され得る。
【００１８】
さらに、本明細書に説明される保守形態は、臨床または在宅ベースの機械と併用されてもよい。例えば、本システムは、１日全体を通して起動するセンター内ＨＤ、ＨＦ、またはＨＤＦ機械において採用されてもよい。代替として、本システムは、患者の便宜に応じて動作される在宅ＨＤ、ＨＦ、またはＨＤＦ機械と併用されてもよい。１つのそのような在宅システムが、２０１１年１０月４日に発行され、「Ｈｉｇｈ  Ｃｏｎｖｅｃｔｉｏｎ  Ｈｏｍｅ  Ｈｅｍｏｄｉａｌｙｓｉｓ／Ｈｅｍｏｆｉｌｔｒａｔｉｏｎ  Ａｎｄ  Ｓｏｒｂｅｎｔ  Ｓｙｓｔｅｍ」と題され、２００４年１１月４日に出願され、本願の譲受人に譲渡された米国特許第８，０２９，４５４号（「第’４５４号特許」）に説明されている。他のそのような在宅システムも、２０１３年５月１２日に発行され、「Ｅｎｃｌｏｓｕｒｅ  ｆｏｒ  ａ  Ｐｏｒｔａｂｌｅ  Ｈｅｍｏｄｉａｌｙｓｉｓ  Ｓｙｓｔｅｍ」と題され、２００８年８月２７日に出願された米国特許第８，３９３，６９０号（「第’６９０号特許」）に説明されている。上記の参照文献のそれぞれの全内容が、参照することによって本明細書に組み込まれ、依拠される。
【００１９】
ある実施形態では、医療流体送達シャーシを含む医療流体送達機械が、提供される。医療流体送達シャーシは、１つ以上のポンプ、複数の弁、必要に応じて、ヒータ、必要および所望に応じて、直結医療流体生成機器、圧力センサ、伝導率センサ、温度センサ、空気検出器、血液漏出検出器、および同等物のうちのいずれか１つ、それよりも多くのもの、または全て等の複数のセンサ、ユーザインターフェース、および上記に説明される機器を制御するための１つ以上のプロセッサおよびメモリを採用し得る制御ユニット等の医療流体を送達するために必要とされる構成要素を格納する。医療流体送達機械はまた、血液を清潔にするための透析器または血液濾過器および／または水、透析流体、または他の流体を浄化するための限外濾過器等の１つ以上の濾過器を含んでもよい。
【００２０】
医療流体送達機械と関連して使用される動作構成要素のうちのいずれかが、本開示の保守形態を受けてもよい。ポンプアクチュエータ、弁アクチュエータ、またはヒータ等の構成要素のうちのあるものが、長時間にわたって存続するように構築される。濾過器等の他の構成要素は、長寿命構成要素と比較して比較的に短い寿命を有することが公知である。したがって、機械の各構成要素は、その独自の保守耐用年数を有する、または異なるカテゴリの耐用年数のうちの１つに分類され得る。ある程度まで、本開示の保守形態は、より短い耐用年数の構成要素およびそれらの予期される寿命の終わり近くにあるより長い寿命の構成要素により適用可能である。しかしながら、いずれの場合も、本開示の保守形態は、医療流体送達機械の任意の動作構成要素に適用され得る。「動作構成要素」は、そうである必要性はないが、動作データまたは試験データを生成するために試験され得るデータを生成する、医療流体送達機械の構成要素またはその周辺機器を意味し得る。
【００２１】
一実施形態では、保守形態は、構成要素を分析するために、経時的に自己試験データを分析する。例えば、機械が、水、透析流体、または他の流体を浄化する限外濾過器を提供すると仮定する。機械は、次いで、各処置前に限外濾過器に自己試験を実行し得る。限外濾過器は、薄い半浸透性膜を含み、その壁は、液体が通過し、濾過されることを可能にする微小な細孔を有する。膜のうちの１つが裂ける場合、または細孔が開放し始める場合、濾過されることが意図される微粒子は、限外濾過器が、これが以前できたほど液体を清浄にできないように、裂け目または開放された細孔を通過し得る。１つの自己試験は、次いで、膜が漏出する量を確認するために、処置に先立って膜に圧力減衰試験を実行することである。
【００２２】
本開示の形態では、圧力減衰試験に関する２つの限界、すなわち、到達した場合、限外濾過器が交換される必要性をもたらす、第１の交換限界を設定することが考慮される。第２のソフト限界もまた、設定され、これは、限外濾過器が、その漏出率が交換限界に近接するが、それにないときに交換され得るように、本特定の限外濾過器が劣化し始めており、これがより厳密に監視されるべきであることをオペレータに伝える。ソフト限界警告の複数の利点が存在する。第１に、機械は、限外濾過器の有用寿命の大部分またはさらにはその殆ど全てを享有している。第２に、交換は、関与する全ての関係者にとって便宜的な時間に推定的に成され、「必須」ベースとは対照的に、「分別」ベースでそのように行われる。機械は、構成要素を交換するために必要とされる時間だけ中断する。患者および臨床医／医師は、別の処置を実行するために部品が到着するまで待機する必要性がない。
【００２３】
別の実施形態では、保守形態は、自己試験データの代替として、またはそれに加えて、経時的に構成要素性能データを分析する。上記に議論されるように、限外濾過器に関する一例示的自己試験は、漏出を探求する圧力減衰試験である。漏出に加えて、限外濾過器は、それらが閉塞した状態になる場合に交換される必要があり得る。上記に言及されるように、適切に機能する限外濾過器膜は、微粒子を閉じ込め、浄化された液体が通過することを可能にする。閉じ込められた微粒子は、膜を通過しない液体を伴う濃縮スラリーを形成する。スラリーは、限外濾過器の入口側に戻るように、または排出されるように押進されることが意図される。しかしながら、スラリーとともに進行する代わりに、微粒子は、代わりに、膜の壁の中にそれ自体を埋入させ、限外濾過器を閉塞させ始め得る。
【００２４】
故に、限外濾過器等の構成要素の性能出力を監視することが、考慮される。例えば、限外濾過器の下流の流率を監視することが、考慮される。交換およびソフト限界が、流率監視のために再び設定される。ソフト限界に到達した後、限外濾過器の出力流率性能が、厳密に監視される。限外濾過器は、次いで、交換流率限界に到達するわずかに前に交換され得、したがって、比較的に高い性能レベルを依然として維持しながら、可能な限り限外濾過器寿命を延長する。
【００２５】
限外濾過器実施例等の単一の構成要素が、それによってそれらが本開示の保守形態下で判断される複数の基準をそれに応じて有してもよい。各基準は、構成要素を交換するときを決定するために独立して評価される、その独自のソフト限界を有する。
【００２６】
基準は、可能性として考えられる構成要素の交換に加えた理由から評価されてもよい。例えば、データが、複数の機械から収集され、構成要素のうちの新しいものを注文または構築するために最も適切な時間を決定するために評価され得る。例えば、限外濾過器は、外部企業から購入される、または社内で作製され得る。しかし、いずれの場合も、構成要素は、最小数量において生産および注文される必要がある可能性が高い。例えば、限外濾過器に関する最小注文または生産数量が１００個であり、在庫に残っている限外濾過器が２０個しか存在せず、ソフト限界またはそれを下回る現場の限外濾過器が３０個存在する場合、本開示のシステムは、購入人員が限外濾過器のための新しい注文を迅速に行い得るように促し得る。このように、新しい構成要素が、構成要素のいかなる不足も存在しないように、必要とされるときだけ間に合うように注文される。
【００２７】
本開示の保守形態は、機械レベルで、多くの機械を監督する包括的プラットフォームシステムレベルで、または同一物の組み合わせで実装されてもよい。限外濾過器実施例を継続すると、一実施形態では、各機械は、圧力減衰試験、下流流率監視、交換限界、およびソフト限界の結果を追跡する。ソフト限界に到達する場合、機械のディスプレイデバイスが、発生を知らせるオーディオ、視覚、または視聴覚アラートをオペレータに表示する、および／または同一物を共有する保守画面を提供してもよい。アラートまたは保守画面は、ソフト限界をトリガした日に至り、それからのデータを含む日々における圧力減衰データまたは下流流率データを示すグラフを含んでもよい。機械は、ユーザが限外濾過器が傾向を示す様子を確認し得るように、ソフト限界に到達した後、新しいデータが生成される度にグラフが更新される「監視モード」に入るようにプログラムされてもよい。おそらく、データは、限外濾過器が依然として使用され得るように、ソフト限界の周囲を移動する。またはおそらく、データは、交換限界に向かって下降線を辿り、限外濾過器がすぐに交換される必要があることを示す。
【００２８】
機械はまた、グラフからのデータ線の現在の傾斜または複数のデータ点から数学的に形成された曲線を使用して、傾斜または曲線が変化しないと仮定して、線が交換限界と交差するであろうときを計算してもよい。したがって、グラフとともに、「監視モード」における機械は、交換が必須になるまでの推定された量の日数または処置を表示し得る。機械は、傾斜が変化する場合、それに応じて推定値を更新する。
【００２９】
グラフおよび交換までの日数または処置数を含む、「監視モード」出力は、加えて、または代替として、臨床医のコンピュータおよび／または保守担当者のコンピュータ等の遠隔コンピュータにおいて表示されてもよい。下記に詳細に議論されるように、機械を１つ以上のサーバを介して遠隔臨床医コンピュータおよび／または保守担当者のコンピュータに接続することが、考慮される。各処置後、機械は、データを１つ以上のサーバを介して、臨床医コンピュータおよび／または保守担当者のコンピュータによってアクセス可能なデータベースに送信する。複数の機械からの「監視モード」データは、フラグ付きフォルダに投入され得る。保守担当者は、例えば、複数の機械に関する「監視モード」データを閲覧するために、フラグ付きフォルダに日常的にアクセスする業務を課され得る。保守担当者は、次いで、「監視モード」シナリオ毎に構成要素交換をスケジューリングするかどうかの決定を行うことができる。
【００３０】
本開示の医療流体送達機械を複数の診療所に提供し、診療所のそれぞれを本開示の全体的システム下に含むことが、考慮される。一方、保守担当者は、典型的には、機械の製造業者をサポートするであろう。本システムは、カスタマイズ可能であり、次いで、各診療所が、診療所がその独自の機械を保守するか、または代わりに機械を保守するように製造業者の保守人員と契約するかを決定することを可能にする。診療所がその独自の機械を保守する場合、診療所は、本明細書に説明されるように、機械自体に「監視モード」を表示させることを決定してもよい。代替として、診療所は、「監視モード」データを分析するために、サーバを経由してフラグファイルにアクセスしてもよい。診療所が機械を保守するように製造業者の保守人員と契約することを決定する場合、製造業者の保守人員は、「監視モード」データにアクセスするために、サーバを経由して遠隔にフラグファイルを監視する。
【００３１】
限外濾過器の実施例が本開示の保守形態から明確に利益を享受する構成要素であるため、該実施例が、本明細書全体を通して使用される。限外濾過器は、限定された寿命を有することが公知であり、比較的に高価な構成要素である。したがって、交換前に可能な限りそれらから多くの使用を得ることが、望ましい。透析器および血液濾過器は、他の良好な実施例である。透析器および血液濾過器は、透析器が漏出または劣化（限外濾過器の場合のように閉塞）すると交換される必要性がある、完全な血液セットの一部として滅菌および包装され得る。
【００３２】
圧力減衰試験等の漏出試験を受ける任意の構成要素が、本開示の保守形態から利益を享受し得ることを理解されたい。例えば、処置流体通路または血流通路、またはそれらの一部が、圧力チェックされ、「監視モード」に置かれる、または必要に応じて交換され得る。流体弁およびポンプが、圧力チェックされ、「監視モード」に置かれる、または必要に応じて交換され得る。流体ポンプはまた、下流流率出力に関して評価され得る。機械が空気圧で駆動される場合、その空気圧ソレノイド弁もまた、圧力チェックされ、「監視モード」に置かれる、または必要に応じて交換され得る。
【００３３】
また、その出力が、例えば、既知の圧力、温度、または伝導率サンプルに曝すことによって試験されることが可能である任意の感知構成要素が、本開示の保守形態から利益を享受し得ることも理解されたい。他の好適な構成要素も、本明細書に説明される。
【００３４】
本明細書の開示に照らして、かついかように本開示を限定することなく、別様に規定されない限り、本明細書に列挙される任意の他の側面と組み合わせられ得る、本開示の第１の側面では、医療流体送達システムは、関連付けられる出力データを生産する少なくとも１つの構成要素を含む、医療流体送達機械と、少なくとも１つの構成要素に関する少なくとも１つの構成要素交換限界と、少なくとも１つの構成要素交換限界を記憶し、かつ出力データを分析し、少なくとも１つの構成要素がその構成要素交換限界に対して良好に機能している程度のインジケーションを提供するようにプログラムされる、コンピュータとを含む。
【００３５】
別様に規定されない限り、本明細書に列挙される任意の他の側面と組み合わせられ得る、本開示の第２の側面では、医療流体送達機械は、ディスプレイデバイスを含み、コンピュータは、医療流体送達機械の制御ユニットによって提供され、インジケーションは、医療流体送達機械のディスプレイデバイスによって表示される。
【００３６】
別様に規定されない限り、本明細書に列挙される任意の他の側面と組み合わせられ得る、本開示の第３の側面では、コンピュータは、ディスプレイデバイスを有する遠隔コンピュータであり、医療流体送達機械は、少なくとも１つのサーバを介して遠隔コンピュータとデータ通信し、インジケーションは、遠隔コンピュータのディスプレイデバイスによって表示される。
【００３７】
別様に規定されない限り、本明細書に列挙される任意の他の側面と組み合わせられ得る、本開示の第４の側面では、関連付けられる出力データは、流率を含み、構成要素交換限界のうちの少なくとも１つは、構成要素交換流率である。
【００３８】
別様に規定されない限り、本明細書に列挙される任意の他の側面と組み合わせて第４の側面と組み合わせられ得る、本開示の第５の側面では、少なくとも１つの構成要素は、（ｉ）濾過器であって、流率は、濾過器の下流の流率である、濾過器、（ｉｉ）医療流体送達ポンプであって、流率は、医療流体送達ポンプの下流の流率である、医療流体送達ポンプ、または（ｉｉｉ）使い捨てアイテムであって、流率は、使い捨てアイテムの下流の流率である、使い捨てアイテムを含む。
【００３９】
別様に規定されない限り、本明細書に列挙される任意の他の側面と組み合わせられ得る、本開示の第６の側面では、本システムは、コンピュータによって記憶される少なくとも１つの構成要素交換限界に加えて、少なくとも１つの構成要素ソフト限界を含み、少なくとも１つの構成要素がその構成要素交換限界に対して良好に機能している程度のインジケーションは、構成要素がそのソフト限界とその構成要素交換限界との間で機能しているかどうかを含む。
【００４０】
別様に規定されない限り、本明細書に列挙される任意の他の側面と組み合わせて第６の側面と組み合わせられ得る、本開示の第７の側面では、コンピュータは、そのソフト限界およびその構成要素交換限界に対して機能する少なくとも１つの構成要素を示す、少なくとも１つの構成要素性能グラフを生成するようにプログラムされる。
【００４１】
別様に規定されない限り、本明細書に列挙される任意の他の側面と組み合わせて第６の側面と組み合わせられ得る、本開示の第８の側面では、コンピュータは、少なくとも１つの構成要素がそのソフト限界とその構成要素交換限界との間で機能しているとき、構成要素性能がその交換限界に到達するであろうときの推定値を生成するようにプログラムされる。
【００４２】
別様に規定されない限り、本明細書に列挙される任意の他の側面と組み合わせて第６の側面と組み合わせられ得る、本開示の第９の側面では、コンピュータは、遠隔コンピュータであり、医療流体送達機械は、少なくとも１つのサーバを介して遠隔コンピュータとデータ通信し、そのソフト限界とその構成要素交換限界との間で機能する各構成要素を示す、コンピュータによって提供されるファイルを含む。
【００４３】
別様に規定されない限り、本明細書に列挙される任意の他の側面と組み合わせて第６の側面と組み合わせられ得る、本開示の第１０の側面では、コンピュータは、遠隔コンピュータであり、医療流体送達機械は、少なくとも１つのサーバを介して遠隔コンピュータとデータ通信し、そのソフト限界とその構成要素交換限界との間で機能する各機械の各構成要素を示す、コンピュータによって提供されるファイルを含む。
【００４４】
別様に規定されない限り、本明細書に列挙される任意の他の側面と組み合わせられ得る、本開示の第１１の側面では、コンピュータは、各処置が医療流体送達デバイスによって実施された後、構成要素と関連付けられる出力データを受信する。
【００４５】
別様に規定されない限り、本明細書に列挙される任意の他の側面と組み合わせられ得る、本開示の第１２の側面では、医療流体送達システムは、試験データを生産するために試験を受ける少なくとも１つの構成要素を含む、医療流体送達機械と、少なくとも１つの構成要素に関する少なくとも１つの構成要素交換限界と、少なくとも１つの構成要素交換限界を記憶し、かつ試験データを分析し、少なくとも１つの構成要素がその構成要素交換限界に対して良好に試験している程度のインジケーションを提供するようにプログラムされる、コンピュータとを含む。
【００４６】
別様に規定されない限り、本明細書に列挙される任意の他の側面と組み合わせられ得る、本開示の第１３の側面では、少なくとも１つの構成要素は、医療流体送達機械のためのセンサを含み、試験は、センサからの出力を分析する。
【００４７】
別様に規定されない限り、本明細書に列挙される任意の他の側面と組み合わせて第１３の側面と組み合わせられ得る、本開示の第１４の側面では、センサは、圧力センサ、伝導率センサ、または温度センサである。
【００４８】
別様に規定されない限り、本明細書に列挙される任意の他の側面と組み合わせられ得る、本開示の第１５の側面では、医療流体送達機械は、空気圧源、圧力センサを含み、試験は、少なくとも１つの構成要素が、圧力センサによって感知される源を介した空気圧を受ける圧力減衰試験である。
【００４９】
別様に規定されない限り、本明細書に列挙される任意の他の側面と組み合わせて第１５の側面と組み合わせられ得る、本開示の第１６の側面では、少なくとも１つの構成要素は、（ｉ）濾過膜を含む濾過器であって、圧力減衰試験は、濾過膜を試験する、濾過器、（ｉｉ）流体送達構成要素であって、圧力減衰試験は、漏出に関して流体送達構成要素を試験する、流体送達構成要素、（ｉｉｉ）使い捨て構成要素であって、圧力減衰試験は、漏出に関して使い捨て構成要素を試験する、使い捨て構成要素、または（ｉｖ）流体ラインであって、圧力減衰試験は、漏出に関して流体ラインを試験する、流体ラインを含む。
【００５０】
別様に規定されない限り、本明細書に列挙される任意の他の側面と組み合わせられ得る、本開示の第１７の側面では、医療流体送達機械は、ディスプレイデバイスを含み、コンピュータは、医療流体送達機械の制御ユニットによって提供され、インジケーションは、医療流体送達機械のディスプレイデバイスによって表示される。
【００５１】
別様に規定されない限り、本明細書に列挙される任意の他の側面と組み合わせられ得る、本開示の第１８の側面では、コンピュータは、ディスプレイデバイスを有する遠隔コンピュータであり、医療流体送達機械は、少なくとも１つのサーバを介して遠隔コンピュータとデータ通信し、インジケーションは、遠隔コンピュータのディスプレイデバイスによって表示される。
【００５２】
別様に規定されない限り、本明細書に列挙される任意の他の側面と組み合わせられ得る、本開示の第１９の側面では、本システムは、コンピュータによって記憶される少なくとも１つの構成要素交換限界に加えて、少なくとも１つの構成要素ソフト限界を含み、少なくとも１つの構成要素がその構成要素交換限界に対して良好に試験している程度のインジケーションは、構成要素試験性能がそのソフト限界とその構成要素交換限界との間にあるかどうかを含む。
【００５３】
別様に規定されない限り、本明細書に列挙される任意の他の側面と組み合わせて第１９の側面と組み合わせられ得る、本開示の第２０の側面では、コンピュータは、そのソフト限界およびその構成要素交換限界に対する少なくとも１つの構成要素試験性能を示す、少なくとも１つの試験性能グラフを生成するようにプログラムされる。
【００５４】
別様に規定されない限り、本明細書に列挙される任意の他の側面と組み合わせて第１９の側面と組み合わせられ得る、本開示の第２１の側面では、コンピュータは、少なくとも１つの構成要素試験性能がそのソフト限界とその構成要素交換限界との間にあるとき、構成要素試験性能がその交換限界に到達するであろうときの推定値を生成するようにプログラムされる。
【００５５】
別様に規定されない限り、本明細書に列挙される任意の他の側面と組み合わせて第１９の側面と組み合わせられ得る、本開示の第２２の側面では、コンピュータは、遠隔コンピュータであり、医療流体送達機械は、少なくとも１つのサーバを介して遠隔コンピュータとデータ通信し、そのソフト限界とその構成要素交換限界との間の試験性能を有する各構成要素を示す、コンピュータによって提供されるファイルを含む。
【００５６】
別様に規定されない限り、本明細書に列挙される任意の他の側面と組み合わせて第１９の側面と組み合わせられ得る、本開示の第２３の側面では、コンピュータは、遠隔コンピュータであり、医療流体送達機械は、少なくとも１つのサーバを介して遠隔コンピュータとデータ通信し、そのソフト限界とその構成要素交換限界との間の試験性能を有する各機械の各構成要素を示す、コンピュータによって提供されるファイルを含む。
【００５７】
別様に規定されない限り、本明細書に列挙される任意の他の側面と組み合わせられ得る、本開示の第２４の側面では、コンピュータは、各処置が医療流体送達デバイスによって実施された後、構成要素と関連付けられる試験データを受信する。
【００５８】
別様に規定されない限り、本明細書に列挙される任意の他の側面と組み合わせられ得る、本開示の第２５の側面では、医療流体送達システムは、関連付けられる出力データおよび関連付けられる試験データを産出する少なくとも１つの構成要素を含む、医療流体送達機械と、少なくとも１つの構成要素に関する少なくとも１つの構成要素出力交換限界と、少なくとも１つの構成要素に関する少なくとも１つの構成要素試験交換限界と、少なくとも１つの構成要素出力交換限界および少なくとも１つの構成要素試験交換限界を記憶し、かつ出力データおよび試験データを分析し、少なくとも１つの構成要素がその構成要素出力交換限界に対して良好に機能している程度の第１のインジケーションおよび少なくとも１つの構成要素がその構成要素試験交換限界に対して良好に試験している程度の第２のインジケーションを提供するようにプログラムされる、コンピュータとを含む。
【００５９】
別様に規定されない限り、本明細書に列挙される任意の他の側面と組み合わせられ得る、本開示の第２６の側面では、医療流体送達システムは、関連付けられる出力データまたは関連付けられる試験データのうちの少なくとも１つを産出する構成要素を含む、医療流体送達機械と、（ｉ）構成要素に関する構成要素出力交換限界および構成要素出力ソフト限界または（ｉｉ）構成要素に関する構成要素試験交換限界または構成要素試験ソフト限界のうちの少なくとも１つと、（ｉ）または（ｉｉ）のうちの少なくとも１つを記憶し、かつ（ｉ）に関して出力データを分析し、構成要素が構成要素出力交換限界および構成要素出力ソフト限界に対して良好に機能している程度の第１のインジケーションを提供し、（ｉｉ）に関して試験データを分析し、少なくとも１つの構成要素が構成要素試験交換限界および構成要素試験ソフト限界に対して良好に試験している程度の第２のインジケーションを提供するようにプログラムされる、コンピュータとを含む。
【００６０】
別様に規定されない限り、本明細書に列挙される任意の他の側面と組み合わせられ得る、本開示の第２７の側面では、医療流体送達システムは、処置毎に、少なくとも１つの濃縮物を所望の医療流体処置のために好適にされた水と混合し、医療流体を形成するために、複数の処置にわたって使い捨てセットを用いて動作する、医療流体送達機械と、医療流体送達機械によって混合された医療流体の正確度を試験するように構成される、センサであって、混合正確度が決定されることを可能にする出力を生産する、センサと、センサによって生産された混合正確度出力から混合正確度を決定し、使い捨てセットが交換される必要があるかどうかを決定するようにプログラムされる、コンピュータとを含む。
【００６１】
別様に規定されない限り、本明細書に列挙される任意の他の側面と組み合わせて第２７の側面と組み合わせられ得る、本開示の第２８の側面では、コンピュータは、ローリング平均を使用し、使い捨てセットが交換される必要があるかどうかを決定するようにプログラムされる。
【００６２】
別様に規定されない限り、本明細書に列挙される任意の他の側面と組み合わせて第２７の側面と組み合わせられ得る、本開示の第２９の側面では、コンピュータは、医療流体送達機械のためのコンピュータまたは医療流体送達機械から遠隔に位置するコンピュータである。
【００６３】
別様に規定されない限り、本明細書に列挙される任意の他の側面と組み合わせて第２７の側面と組み合わせられ得る、本開示の第３０の側面では、コンピュータは、使い捨てセットが（ｉ）現在交換される必要があるか、または（ｉｉ）将来の処置のために交換される必要があるかのうちの少なくとも１つを決定するようにプログラムされる。
【００６４】
本開示の第３１の側面では、図１−８と関連して開示される構造および機能性のうちのいずれかは、図１−８と関連して開示される他の構造および機能性のうちのいずれかと組み合わせられてもよい。
【００６５】
本開示および上記の側面に照らして、したがって、改良された医療流体送達デバイスを提供することが、本開示の利点である。
【００６６】
医療流体送達デバイスのための改良された保守形態を提供することが、本開示の別の利点である。
【００６７】
医療流体送達機械構成要素を効率的に交換することが、本開示のさらなる利点である。
【００６８】
構成要素交換を待機する必要性に起因する中断時間を防止することに役立つことが、本開示のなおも別の利点である。
【００６９】
医療流体送達機械構成要素を注文および備蓄するための効率的な方法を提供することが、本開示のなおもさらなる利点である。
【００７０】
異なる医療流体送達機械ユーザの保守必要性に柔軟であるシステムを提供することが、本開示のさらに別の利点である。
【００７１】
医療流体送達機械において使用される異なるタイプの構成要素に適用可能である保守形態を提供することが、本開示のなおもさらなる利点である。
【００７２】
本明細書に議論される利点は、本明細書に開示される実施形態のうちの１つまたはいくつかに見出され得、おそらく、その全てに見出されるわけではない。付加的特徴および利点が、本明細書に説明され、以下の詳細な説明および図から明白となるであろう。
【図面の簡単な説明】
【００７３】
【図１】図１は、本開示の医療流体送達機械の一実施形態の概略図である。
【００７４】
【図２】図２は、図１の医療流体送達機械の一実施形態と併用するための血液セットを図示する、斜視図である。
【００７５】
【図３】図３は、データがそのような機械から取得され得るように、本開示の医療流体送達機械を組み込むシステムに関する一実施形態を図示する、概略図である。
【００７６】
【図４】図４は、図３のシステムにおいて実装され、本明細書に議論される保守形態実施形態のうちのいずれかを使用し得る、サイクラと、したがって、使い捨てセットとを含む、腹膜透析システムの一実施形態の斜視図である。
【００７７】
【図５】図５は、本開示の保守形態に関する一実施形態を図示する、プロットである。
【００７８】
【図６】図６は、その構成要素のうちのどれが本開示のソフト限界またはそれを下回る出力メトリックを有するかを示す、単一の機械に関する監視モード画面を図示する。
【００７９】
【図７】図７は、どの機械が本開示のソフト限界またはそれを下回る出力メトリックを伴う少なくとも１つの構成要素を有するかを示す、複数の機械に関するフラグまたは監視モード画面を図示する。
【００８０】
【図８】図８は、複数の交換サイクルにわたる機械構成要素に関するチャート化データを示す、スクリーンショットである。
【発明を実施するための形態】
【００８１】
本明細書に説明される実施例は、血液、透析流体、代替液、および／または静脈内薬物（「ＩＶ」）等の医療流体を送達する、任意の医療流体送達システムに適用可能である。実施例は、特に、本明細書では、集合的に、または概して、個別に腎不全治療と称される、全ての形態の血液透析（「ＨＤ」）、血液濾過（「ＨＦ」）、血液透析濾過（「ＨＤＦ」）、持続的腎置換治療（「ＣＲＲＴ」）、および腹膜透析（「ＰＤ」）等の腎臓不全治療のために非常に好適である。さらに、本明細書に説明される機械および保守形態は、臨床または在宅設定において使用されてもよい。例えば、本開示の保守形態で動作する機械は、１日全体を通して事実上連続的に起動する、センター内ＨＤ機械において採用されてもよい。代替として、本開示の保守形態は、例えば、患者が眠っている間の夜に起動され得る、在宅ＨＤ機械において使用されてもよい。
【００８２】
ここで図１を参照すると、本開示の保守形態で動作する医療流体送達システム１０に関するＨＤフロー概略図の実施例が、図示される。図１のＨＤシステムは、比較的に複雑であるため、図１およびその議論はまた、上記に議論される腎不全治療モダリティのうちのいずれかおよびＩＶまたは薬物送達機械のためのサポートも提供する。概して、非常に簡略化されたバージョンの透析流体またはプロセス流体送達回路を有するシステム１０が、示される。血液回路もまた、簡略化されるが、透析流体回路が簡略化されるほどではない。回路は、本開示の説明をより容易にするために簡略化されており、本システムは、実装される場合、上記の参照することによって組み込まれる刊行物に見出されるもの等の付加的構造および機能性を有するであろうことを理解されたい。
【００８３】
図１のシステム１０は、血液回路２０を含む。血液回路２０は、患者１２から血液を引動し、それに血液を戻す。血液は、動脈ライン１４を介して患者１２から引動され、静脈ライン１６を介して患者に戻される。動脈ライン１４は、患者１２と採血連通する、動脈針１４ｂに接続する動脈ラインコネクタ１４ａを含む。静脈ライン１６は、患者と返血連通する、静脈針１６ｂに接続する静脈ラインコネクタ１６ａを含む。動脈および静脈ライン１４および１６はまた、ばね荷重フェールセーフ機械的ピンチクランプであり得る、ラインクランプ１８ａおよび１８ｖを含む。ラインクランプ１８ａおよび１８ｖは、一実施形態では、緊急状況において自動的に閉鎖される。
【００８４】
動脈および静脈ライン１４および１６はまた、それぞれ、超音波空気検出器であり得る、空気または気泡検出器２２ａおよび２２ｖを含む。空気または気泡検出器２２ａおよび２２ｖは、それぞれ、動脈および静脈ライン１４および１６内の空気を探求する。空気が空気検出器２２ａおよび２２ｖのうちの１つによって検出される場合、システム１０は、ラインクランプ１８ａおよび１８ｖを閉鎖し、血液および透析流体ポンプを一時停止させ、処置が再開され得るように空気を一掃するように患者に命令を提供する。
【００８５】
血液ポンプ３０が、図示される実施形態では、動脈ライン１４内に位置する。図示される実施形態では、血液ポンプ３０は、第１の血液ポンプポッド３０ａと、第２の血液ポンプポッド３０ｂとを含む。血液ポンプポッド３０ａは、入口弁３２ｉおよび出口弁３２ｏとともに動作する。血液ポンプポッド３０ｂは、入口弁３４ｉおよび出口弁３４ｏとともに動作する。ある実施形態では、血液ポンプポッド３０ａおよび３０ｂは、それぞれ、シェル内に位置する可撓性ダイヤフラムを伴う、例えば、球形の硬質外側シェルを含む血液容器であり、ダイヤフラムポンプを形成する。各ダイヤフラムの片側は、血液を受容する一方、各ダイヤフラムの他方の側は、正および負の空気圧によって動作される。血液ポンプ３０は、代替として、動脈ライン１４管とともに動作する蠕動ポンプである。
【００８６】
ヘパリンバイアル２４およびヘパリンポンプ２６が、図示される実施形態では、血液ポンプ３０と血液濾過器４０（例えば、透析器）との間に位置する。ヘパリンポンプ２６は、空気圧ポンプまたはシリンジポンプ（例えば、ステッパモータ駆動シリンジポンプ）であり得る。血液濾過器４０の上流にヘパリンを供給することは、濾過器の膜の凝固を防止することに役立つ。
【００８７】
一次制御プロセッサ（「ＡＣＰＵ」）または制御ユニット５０が、１つ以上のプロセッサおよびメモリを含む。制御ユニット５０は、空気検出器２２ａおよび２２ｖ（および温度センサ、血液漏出検出器、伝導率センサ、圧力センサ、およびアクセス切断トランスデューサ１０２、１０４等のシステム１０の他のセンサ）から空気検出信号を受信し、ラインクランプ１８ａおよび１８ｖ、血液ポンプ３０、ヘパリンポンプ２６、および透析流体ポンプ等の構成要素を制御する。静脈ライン１６を介して血液濾過器４０から退出する血液は、空気トラップ２８を通して流動する。空気トラップ２８は、透析された血液が静脈ライン１６を介して患者１２に戻される前に、血液から空気を除去する。
【００８８】
図１のシステム１０の血液透析バージョンでは、透析流体または透析液は、血液濾過器４０の膜の外側に沿って圧送される一方、血液は、血液濾過器膜の内側を通して圧送される。透析流体または透析液は、水浄化ユニット６０を介した水の浄化を始めとして調製される。１つの好適な水浄化ユニットが、「Ｗａｔｅｒ  Ｐｕｒｉｆｉｃａｔｉｏｎ  Ｓｙｓｔｅｍ  ａｎｄ  Ｍｅｔｈｏｄ」と題され、２０１１年４月２５日に出願された米国特許公開第２０１１／０１９７９７１号（その全内容が、参照することによって本明細書に組み込まれ、依拠される）に記載されている。一実施形態では、水浄化ユニットは、水が、一実装では、０．０３エンドトキシン単位／ｍｌ（「ＥＵ／ｍｌ」）を下回り、０．１コロニー形成単位／ｍｌ（「ＣＦＵ／ｍｌ」）を下回るように、水道水を浄化する（例えば、病原体および塩素等のイオンを除去する）ための濾過器および他の構造を含む。水浄化ユニット６０は、血液回路２０と、透析流体回路７０とを含む、血液透析機械の筐体またはシャーシとは別個の筐体内に提供されてもよい。
【００８９】
透析流体回路７０が、図示を容易にするために、再び、図１において大幅に簡略化される。現実における透析流体回路７０は、上記の参照することによって組み込まれる刊行物に記載される関連構造および機能性の全てを含んでもよい。透析流体回路７０のある特徴が、図１に図示される。図示される実施形態では、透析流体回路７０は、血液濾過器行き透析流体ポンプ６４を含む。ポンプ６４は、一実施形態では、血液ポンプ３０と同一に構成される。ポンプ６４は、ポンプ３０のように、それぞれ、入口弁６８ｉおよび出口弁６８ｏを有する、ポンプポッド６６の対を含み、これは、再び、球状に構成され得る。２つのポンプポッドは、血液ポンプ３０のように、一方のポンプポッドがＨＤ透析流体を用いて充填する一方、他方のポンプポッドがＨＤ透析流体を放出するように交互に動作される。
【００９０】
ポンプ６４は、血液濾過器行き透析流体ポンプである。使用された透析流体を排出するように押動するために、排出ライン８２に位置する弁９８ｉおよび９８ｏとともに動作する別の二重ポッドポンプチャンバ９６が存在する。重炭酸塩カートリッジ７２を通してポンプ浄化水を圧送するための第３のポッドポンプ（図示せず）が存在する。酸容器７４から混合ライン６２の中に酸を圧送するために使用される第４のポッドポンプ（図示せず）が存在する。第３および第４のポンプ、すなわち、濃縮物ポンプは、一実施形態では、混合ライン６２と血液濾過器行き透析流体ポンプ６４との間の緩衝透析流体タンク（図示せず）に起因して、連続圧送が混合ライン６２においてあまり重要ではないため、単一のポッドポンプであってもよい。
【００９１】
排出ライン８２において提供される第５のポッドポンプ（図示せず）が、ＨＤ治療が提供されるときに既知の量の限外濾過（「ＵＦ」）を除去するために使用される。システム１０は、限外濾過液が患者から除去された量を制御および把握するために、ＵＦポンプを追跡する。システム１０は、必要な量の限外濾過液が処置の終わりまでに患者から除去されることを確実にする。
【００９２】
上記に説明されるポンプはそれぞれ、代替として、圧送管とともに動作する蠕動ポンプであってもよい。該当する場合、システム弁は、依然として、本開示の特徴に従って空気圧で作動されてもよい。
【００９３】
一実施形態では、水浄化ユニット６０からの浄化水は、重炭酸塩カートリッジ７２を通して混合ライン６２に沿って圧送される。容器７４からの酸が、混合ライン６２に沿って、重炭酸塩カートリッジ７２から流動する重炭酸塩水の中に圧送され、電解的かつ生理学的に適合性の透析流体溶液を形成する。浄化水を重炭酸塩および酸と適切に混合するために使用されるポンプおよび温度補償伝導率センサは、図示されないが、上記の参照することによって組み込まれる刊行物に詳細に開示されている。
【００９４】
図１はまた、透析流体が血液濾過器４０に到達する前に、ヒータ７８および限外濾過器８０を通して新鮮な透析流体ライン７６に沿って圧送され、その後で使用された透析流体が排出ライン８２を介して排出されるように圧送されることを図示する。ヒータ７８は、透析流体を体温または約３７℃まで加熱する。限外濾過器８０はさらに、血液濾過器４０に到達する前に透析流体を清浄にし、浄化し、透析流体から、例えば、重炭酸塩カートリッジ７２または酸容器７４を介して導入される微生物または汚染物質を濾過する。
【００９５】
透析流体回路７０はまた、図示される実施形態では、サンプルポート８４を含む。透析流体回路７０はさらに、血液漏出検出器（図示されないが、血液濾過器４０の繊維が断裂しているかどうかを検出するために使用される）と、全てが上記の参照することによって組み込まれる刊行物に詳細に例証および説明される、平衡チャンバ、複数の透析流体弁、および透析流体保持タンク等の図示されない他の構成要素とを含むであろう。
【００９６】
図示される実施形態では、血液透析システム１０は、透析流体を血液濾過器を通して一度圧送し、次いで、使用された透析流体を排出するように圧送する、直結通過システムである。血液回路２０および透析流体回路７０は両方とも、血液回路２０および透析流体回路７０が再使用され得るように、各処置後に温水消毒されてもよい。一実装では、血液濾過器４０を含む血液回路２０は、約１カ月にわたって毎日温水消毒および再使用される一方、透析流体回路７０は、約６カ月にわたって温水消毒および再使用される。
【００９７】
代替実施形態では、例えば、ＣＲＲＴに関して、滅菌された透析流体または注入液の複数のバッグが、ともにまとめられ、次々と使用される。そのような場合では、空の供給バッグは、排出または使用済み流体バッグとしての役割を果たすことができる。
【００９８】
システム１０の機械９０は、図１の破線によって示されるようなエンクロージャを含む。機械９０のエンクロージャは、処置のタイプ、処置がセンター内であるかまたは在宅処置であるか、および透析流体／注入液供給がバッチタイプ（例えば、袋詰め）であるかまたは直結であるかに応じて変動する。
【００９９】
図２は、図１のシステム１０の機械９０が血液セット１００とともに動作し得ることを図示する。血液セット１００は、動脈ライン１４と、静脈ライン１６と、ヘパリンバイアル２４と、ヘパリンポンプ２６／血液ポンプ３０と、血液濾過器４０（例えば、透析器）とを含む。空気トラップ２８が、患者１２に戻される前に血液から空気を除去するために、静脈ライン１６に位置してもよい。空気検出器２２ａおよび２２ｖが、それぞれ、動作のために動脈および静脈ライン１４および１６に接触する。
【０１００】
図１および２では、ポンプ２６、３０（３０ａおよび３０ｂ）、６４、９６（および図示されない他のポンプ）のうちのいずれかおよび弁３２ｉ、３２ｏ、３４ｉ、３４ｏ、６８ｉ、６８ｏ、９８ｉ、および９８ｏ等の弁のうちのいずれかが、空気圧で作動されてもよい。ある実施形態では、ポンプおよび弁はそれぞれ、可撓性膜によって分離される、流体側および空気側を有する。負の空気圧が、流体をポンプチャンバの中に引き込むために、または弁を開放するために、膜の空気側に印加され得る（またはポンプまたは弁は、正の閉鎖圧力を大気に通気し、流体圧力が開放することを可能にすることによって開放され得る）。正の空気圧が、ポンプチャンバから流体を放出するために、または弁を閉鎖するために、膜の空気側に印加される。
【０１０１】
ここで図３を参照すると、より大きいプラットフォームシステム１１０内で動作するシステム１０が、図示される。システム１１０は、多くの医療流体送達機械９０、したがって、多くの関連付けられる医療流体送達機械システム１０を組み込む。プラットフォームシステム１１０の機械９０は、同一のタイプ（例えば、全てＨＤ機械）であってもよい、または異なるタイプ（例えば、ＨＤ、ＰＤ、ＣＲＲＴ、医療送達の混合）であってもよい。
【０１０２】
単一の医療流体送達機械９０が、コネクティビティサーバ１１８と通信するものとして図示されるが、システム１１０は、同一のタイプまたは上記に列挙される異なるタイプの複数の医療流体送達機械の動作を監督する。例えば、サーバ１１８に接続され、システム１１０とともに動作する、Ｍ個の数の血液透析機械９０、Ｎ個の数の血液濾過機械９０、Ｏ個の数のＣＲＲＴ機械９０、Ｐ個の数の腹膜透析機械９０、Ｑ個の数の在宅薬物送達機械９０、およびＲ個の数の栄養在宅治療機械９０が存在してもよい。ＭからＲまでの数は、同一または異なる数であってもよく、ゼロ、１、または１を上回るものであってもよい。図３では、医療流体送達機械９０は、在宅治療機械９０として図示される。しかしながら、下記に議論されるように、医療流体送達機械９０は、（破線によって示される）自宅で使用される必要性はなく、代わりに、病院または診療所で使用されてもよい。
【０１０３】
在宅治療機械９０は、その前端部において、上記に議論されるような水処理デバイス６０から浄化水を受容し得る。水処理デバイス６０は、ある実施形態では、イーサネット（登録商標）ケーブルを介して在宅治療機械９０に接続する。図示される実施形態におけるシステム１１０の在宅治療機械９０は、血圧モニタ１０４、計量器、例えば、無線計量器１０６、および無線タブレットユーザインターフェース１２２等のユーザインターフェース等の水処理デバイス６０以外の他のデバイスとともに動作する。在宅治療機械９０は、一実施形態では、モデム１０２を介して無線でサーバ１１８に接続する。これらの構成要素はそれぞれ、（そうである必要性はないが）図３の破線によって境界画定されるように、患者の自宅内に位置してもよい。構成要素６０、１０４、１０６、および１２２のうちのいずれか１つ、それよりも多くのもの、または全ては、在宅治療機械９０と有線または無線で通信してもよい。無線通信は、Ｂｌｕｅｔｏｏｔｈ（登録商標）、ＷｉＦｉ（ＴＭ）、Ｚｉｇｂｅｅ（登録商標）、Ｚ−Ｗａｖｅ（Ｒ）、無線ユニバーサルシリアルバス（「ＵＳＢ」）、赤外線、または任意の他の好適な無線通信技術を介してであってもよい。代替として、構成要素６０、１０４、１０６、および１２２のうちのいずれか１つ、それよりも多くのもの、または全ては、有線通信を介して在宅治療機械９０と通信してもよい。
【０１０４】
コネクティビティサーバ１１８は、在宅医療デバイスシステムハブ１２０を介して在宅医療デバイスシステム１１０の多くと通信する。システムハブ１２０は、各在宅治療機械９０およびその周辺機器に関するデータおよび情報が、機械９０とサーバ１１８に接続される他のクライアントとの間でコネクティビティサーバ１１８を介して行き来することを可能にする。図示される実施形態では、システムハブ１２０は、サービスポータル１３０、企業リソース計画システム１４０、ウェブポータル１５０、ビジネスインテリジェンスポータル１６０、ＨＩＰＡＡ準拠データベース１２４、製品開発チーム１２８、および電子医療記録データベース１２６ａ−１２６ｎに接続される。
【０１０５】
電子医療記録（「ＥＭＲ」）データベース１２６ａ−１２６ｎは、患者に関する電子情報を記憶する。システムハブ１２０は、機械９０のログファイルから収集されたデータを病院または診療所データベース１２６ａ−１２６ｎに送信し、その患者の医療記録を併合または補完してもよい。データベース１２６ａ−１２６ｎは、患者特有処置および処方データを含有してもよく、したがって、そのようなデータベースへのアクセスは、高度に制限されてもよい。企業リソース計画システム１４０は、苦情、請求情報、およびライフサイクル管理情報等の患者および臨床医ウェブサイトアクセスを介して生成されたデータを取得およびコンパイルする。ウェブポータル１５０は、患者および患者を処置する診療所１５２ａ−１５２ｎが、システム１１０のユーザのために公的に利用可能なウェブサイトにアクセスすることを可能にする。ビジネスインテリジェンスポータル１６０は、システムハブ１２０からデータを収集し、データをマーケティング１６２、研究および開発１６４、および品質／医薬品安全性監視１６６に提供する。
【０１０６】
本明細書に説明されるシステム、方法、およびプロシージャは、１つ以上のコンピュータプログラムまたはコンポーネントを使用して実装され得ることを理解されたい。コンポーネントのプログラムは、ランダムアクセスメモリ（「ＲＡＭ」）、読取専用メモリ（「ＲＯＭ」）、フラッシュメモリ、磁気または光学ディスク、光学メモリ、または他の記憶媒体を含む、任意の従来のコンピュータ可読媒体上の一連のコンピュータ命令として提供されてもよい。命令は、一連のコンピュータ命令を実行すると、開示される方法およびプロシージャの全てまたは一部を実施する、またはその実施を促進する、プロセッサによって実行されるように構成されてもよい。
【０１０７】
一実施形態では、在宅治療機械９０は、患者の自宅で患者に在宅血液透析等の在宅処置を実施し、次いで、その処置の結果を、その患者の健康および福祉を管理することに関与する臨床医、医師、および看護師に報告する。処置の結果は、治療機械からのデータと、水処理デバイス６０を含むその周辺機器からのデータとを含んでもよい。水処理デバイス６０のデータは、例えば、送達された水の合計体積、送達された水の品質（例えば、塩素含有量）、一連の処置にわたって異なる時間に水処理デバイス６０が水を治療機械９０に送達した回数（本データは、デバイス６０または機械９０によって監視され得る）、送達された水の平均流率、水処理デバイス６０が処置にわたって被った任意のアラームまたはアラート、および／または、例えば、構成要素交換情報に関する一連の処置にわたる時間の量または実施されたサイクルの数を含んでもよい。
【０１０８】
ある実施形態における在宅治療機械９０は、例えば、Ｌｉｎｕｘ（登録商標）オペレーティングシステムを使用してログファイルを書き込む。ログファイルは、周辺デバイスデータを含む、関連する在宅治療機械９０のデータを文書化する。ログファイルは、拡張マークアップ言語（「ＸＭＬ」）、コンマ区切り値（「ＣＳＶ」）、またはテキストファイルのうちのいずれか１つ以上のものを含んでもよい。ログファイルは、在宅治療機械９０のソフトウェアのファイルサーバボックスの中に設置される。また、機械９０に送信されないデータを、周辺デバイス、例えば、水処理デバイス６０において記憶することも、考慮される。そのようなデータは、別様に周辺デバイスへの有線または無線接続を介して取得される、または他のデータ接続または記憶媒体を通してダウンロードされてもよい。例えば、保守担当者は、例えば、イーサネット（登録商標）接続を介して、水処理デバイス６０または無線計量器１０６に接続されるラップトップを介して付加的データにアクセスすることができる。または、付加的データは、周辺デバイスから遠隔に読み出されてもよく、在宅治療機械９０は、周辺デバイスとシステム１１０の認可されたクライアントとの間のデータ転送通信路としての役割を果たす。
【０１０９】
一実施形態では、在宅治療機械９０は、例えば、インターネットを介して、コネクティビティサービスを使用し、モデム１０２とシステムハブ１２０との間でデータを転送する。ここでは、専用回線が、在宅治療機械９０をモデム１０２を介してコネクティビティサーバ１１８に接続するために、各患者の自宅において提供されてもよい。一実施形態における在宅治療機械９０は、別個の、例えば、３Ｇ、４Ｇ、または５Ｇモデム１０２を使用してインターネットにアクセスする。モデム１０２は、Ｖｏｄａｆｏｎｅ（TM)等のインターネットサービスプロバイダ（ＩＳＰ）を使用してもよい。一実装では、コネクティビティサービスプロバイダ（例えば、コネクティビティサーバ１１８のプロバイダ）によって開発されたコネクティビティエージェント１１４が、在宅治療機械９０上にインストールされ、機械のＡＣＰＵ５０上で起動される。１つの好適なコネクティビティサービスは、Ａｘｅｄａ（TM)によって提供され、これは、医療デバイスとコネクティビティサーバ１１８との間にセキュアに管理される接続１１６を提供する。
【０１１０】
コネクティビティエージェント１１４は、在宅治療機械９０が、コネクティビティサーバ１１８に接続し、データをコネクティビティサーバ１１８に、およびそれから転送することを可能にする。エージェント１１４およびサーバ１１８を介して動作するコネクティビティサービスは、機械９０との接続がセキュアであることを確実にし、データが機械９０のファイアウォールを正しく通過することを確実にし、データまたはシステムクラッシュが存在しているかどうかをチェックし、コネクティビティサーバ１１８が正しい在宅治療機械９０と通信していることを確実にする。
【０１１１】
一実施形態では、在宅治療機械９０は、コネクティビティエージェント１１４がオンにされる、またはアクティブ化されているときのみコネクティビティサーバ１１８に接続してもよい。処置および処置後消毒の間、機械９０およびその周辺機器が機能している間に、一実施形態では、コネクティビティエージェント１１４は、オフにされ、これは、処置および消毒の間、または機械９０が作動中である、または起動しているとき、在宅治療機械９０がなんらかのエンティティと通信すること、または、データを送信または受信することを防止する。在宅治療機械９０がアイドル状態であるとき、例えば、処置および事後消毒が完了した後、ＡＣＰＵ１１２は、一実施形態では、コネクティビティエージェント１１４をオンにする。ある実施形態では、コネクティビティエージェント１１４は、処置（事前処置を含む）の間のみオフである。処置後、コネクティビティエージェント１１４は、コネクティビティサービスを使用して、在宅治療機械９０からログファイルを読み出し、データをコネクティビティサーバ１１８に転送する。コネクティビティサービスは、データパケットをそれらの適切な宛先にルーティングするが、一実施形態では、データを修正しない、それにアクセスしない、またはそれを暗号化しない。
【０１１２】
図３のシステム１１０では、コネクティビティサーバ１１８を介したコネクティビティサービスは、システムハブ１２０を介して、サービスポータル１３０、診療所または病院１２６ａ−１２６ｎ、およびウェブポータル１５０等の種々の場所にデータを通信してもよい。コネクティビティサーバ１１８は、保守人員１３２ａ−１３２ｎおよび／または臨床医が、適切な在宅治療機械９０および３Ｇ、４Ｇ、または５Ｇモデム１０２等のネットワークを横断する種々のアセットおよび機械またはモデムシリアル番号を含むそれらの関連付けられる情報を追跡し、読み出すことを可能にする。コネクティビティサーバ１１８はまた、保守人員の監督者１３４によって承認され、サービスポータル１３０を介して遠隔に取得されるファームウェアアップグレードを受信し、それを認可された在宅治療機械９０および水処理デバイス６０等の関連付けられる周辺機器に提供するために使用されてもよい。
【０１１３】
本明細書に説明される保守形態は、図３を閲覧すると、複数の場所で実施されてもよい。医療流体送達機械９０が在宅治療機械であるとき、保守形態または本開示は、保守人員１３２ａ−１３２ｎのコンピュータにおいて、または医師または臨床医１２６ａ−１２６ｎのコンピュータにおいて提供されてもよい。自宅における患者は、概して、病院または診療所１２６ａ−１２６ｎと関連付けられる。その病院または診療所は、その独自の機械を保守することを決定してもよく、その場合では、本開示の保守形態は、医師または臨床医１２６ａ−１２６ｎのコンピュータにおいて提供される。または、その病院または診療所は、全体的システム１１０と関連付けられる機械製造業者に機械を保守させることを決定してもよく、その場合では、本開示の保守形態は、保守人員１３２ａ−１３２ｎのコンピュータにおいて提供される（但し、医師または臨床医１２６ａ−１２６ｎのコンピュータにおいて依然として閲覧可能であってもよい）。
【０１１４】
別の実施形態では、医療流体送達機械９０は、患者の自宅において提供されず、代わりに、病院または診療所１２６ａ−１２６ｎにおいて提供される。ここでは、病院または診療所は、３つの選択肢、すなわち、（ｉ）本開示の保守形態が保守人員１３２ａ−１３２のコンピュータにおいて提供されるように、病院または診療所が、機械を保守するように全体的システム１１０と関連付けられる機械製造業者と契約する、（ｉｉ）病院または診療所が、その独自の機械を保守し、本開示の保守形態を医師または臨床医１２６ａ−１２６ｎのコンピュータにおいて提供する、または（ｉｉｉ）病院または診療所が、その独自の機械を保守し、本開示の保守形態を機械９０自体において提供することを有する。選択肢（ｉｉｉ）では、機械９０は、そうである必要性はないが、例えば、コネクティビティサーバ１１８またはシステムハブ１２０を使用して、本明細書に説明されるネットワーキングを有してもよい。
【０１１５】
透析器４０は、ある血液透析システムと併用されるときに単一の構成要素であり、他の血液透析システムと併用されるときに多処置構成要素である構成要素の実施例である。透析器４０の複数の使用を要求するシステムに関して、透析器は、上記に議論されるようなクリアランスおよび／または完全性試験を受けてもよい。同様に、図４は、一度だけ、または複数の処置にわたって使い捨てセットを使用するように動作し得る、腹膜透析システム２１０に関する一実施形態を図示する。腹膜透析システム２１０は、使い捨てセット２２０を動作させる、腹膜透析機械またはサイクラ２１２を含む。使い捨てセット２２０は、可撓性プラスチックシートダイヤフラムまたは膜２２６によって両面上をシールされる硬質プラスチック中間区分２２４を含み得る、使い捨て圧送カセット２２２を含む。硬質プラスチック中間区分２２４は、ポンプおよび弁チャンバ、剛性流体流路、および使い捨てセット２２０の管類２２８および溶液バッグ２３０と関連付けられる管類２３２と噛合するためのポートを画定する。一実施形態における管類２２８は、患者、ドレイン、および使い捨てセット２２０のヒータバッグ２３４へと延設される。
【０１１６】
使用時、ヒータバッグ２３４は、サイクラ２１２の加熱トレイ２１４上に設置される。使用時ではないとき、図４に図示されるように、サイクラ２１２のユーザインターフェース２１６が、加熱トレイ２１４の中に折畳され、サイクラ２１２の蓋によって被覆される。使用時、使い捨て圧送カセット２２２が、サイクラ２１２のポンプおよび弁作動面積２１８に対して装填される。膨張可能ブラダおよび押板２４０を含む扉が、閉鎖および加圧され、サイクラ２１２のポンプおよび弁作動面積２１８とともに動作するように使い捨て圧送カセット２２２を押動する。ある実施形態では、使い捨て圧送カセット２２２の流体ポンプおよび弁は、空気圧で作動される。代替として、使い捨て圧送カセット２２２の流体ポンプおよび弁は、電気機械的に、例えば、蠕動圧送を介して作動される。
【０１１７】
使い捨てセット２２０は、一実施形態では、単回使用または処置アイテムであり、単回使用後に廃棄される。別の実施形態では、使い捨てセット２２０は、複数回再使用される。例えば、使い捨てセット２２０は、使用間に、化学的に、および／または放射を介して、例えば、紫外線を介して消毒されてもよい。再使用されるとき、本開示のソフトおよびハード限界が、採用されてもよい。例えば、使い捨て圧送カセット２２２、管類２２８、２３２、溶液バッグ２３０、およびヒータバッグ２３４は、それぞれ、各処置後に１つ以上の共通のまたは個別化された完全性試験を受けてもよい。ソフト限界は、例えば、測定された完全性の空気圧が、ある期間内にある量だけ降下すると、トリガされ得る。使い捨てセット２２０は、ソフト限界に到達した後に依然として再使用されてもよいが、患者またはユーザは、使い捨てセットがすぐに交換される必要があるであろうことを通告される。別の実施形態では、患者またはユーザは、ソフト限界に到達すると、使い捨てセットを交換するように指示される。
【０１１８】
別の実施例では、圧送性能は、処置の前、その間、および／またはその後に測定される。ここでは、サイクラ２１２は、使い捨て圧送カセット２２２のポンプチャンバまたは弁チャンバが、ある期間内にそのストローク終了位置に到達するはずであることを予期し得る。サイクラ２１２は、膜２２６が硬質プラスチック中間区分２２４のポンプまたは弁チャンバ壁に突き当たると起こる圧力スパイクを探求することによって、ストローク終了位置を感知し得る。膜２２６が複数の処置にわたってますます使用された状態になるにつれて、これは、同一の印加動作圧力に対して見られるように、より長い期間が、膜２２６がストローク終了位置に突き当たるために必要とされるように、摩耗する傾向にあり得る。ここでは、ソフト限界は、膜２２６の性能が、例えば、２０パーセントだけ劣化しているときにトリガするように設定されてもよい。そのようなときに、患者またはユーザは、使い捨てセット２２０を交換するように、またはすぐに使い捨てセット２２０を交換するように準備するように指示され得る。ストローク終了性能測定は、膜２２６が硬質プラスチック中間区分２２４に突き当たるように正圧を使用して、膜２２６がポンプおよび弁界面２１８に対して外向きに突き当たるように負圧を使用して、または両方を使用して行われてもよい。
【０１１９】
電気機械的実施例では、例えば、蠕動ポンプが使用されるとき、性能メトリックは、出力圧力であってもよい。ある圧力出力が、蠕動ポンプのある回転ポンプ速度において提供されることが予期され得る。圧力出力が、複数の処置にわたって摩耗する蠕動ポンプ管に起因して減少すると、ソフト限界、例えば、２０パーセント圧力損失が、トリガされ得る。そのようなときに、患者またはユーザは、使い捨てセットを交換するように、またはすぐに使い捨てセットを交換するように準備するように指示され得る。蠕動ポンプ性能測定は、電気機械的ポンプの正圧出力を使用して、電気機械的ポンプの負圧入力を使用して、または両方を使用して行われてもよい。
【０１２０】
別の実施例では、正圧下にあるときに閉鎖されたままであるような使い捨て圧送カセット２２２の弁の能力が、評価されてもよい。ここでは、流体を事前注入されたときのカセット２２２の弁が、空気圧で、例えば、５ｐｓｉｇの正圧下で閉鎖されてもよい。閉鎖された弁は、次いで、例えば、３ｐｓｉｇで開始し、逓増する、弁と流体連通するポンプチャンバの作動を介したその中からの流体圧力を受ける。弁は、圧送圧力が５ｐｓｉｇの弁保持圧力を超えると開放されるであろうことが予期される。これが起こると、流体がここで弁を通して進行し得るため、測定可能圧力降下が、ポンプチャンバにおいて起こるであろう。しかし、弁開放を示す測定された圧力降下が、５ｐｓｉｇの弁閉鎖圧力に到達する前に起こる場合、これは、不適切に着座された弁または摩耗した弁膜２２６を示し得る。弁保持圧力が、例えば、いずれかの理由で弁閉鎖圧力の２０パーセントまで減少すると、ソフト限界が、トリガされ得る。そのようなときに、患者またはユーザは、使い捨てセット２２０を交換するように、またはすぐに使い捨てセット２２０を交換するように準備するように指示され得る。
【０１２１】
さらなる実施例では、溶液を適切に混合するように空気圧で作動される、または電気機械的に駆動される流体ポンプの能力が、監視される。１つ以上の伝導率センサが、例えば、サイクラ２１２（または血液透析機械９０）が正しい割合における１つ以上の濃縮物を、実施されている処置が何であっても好適であるように浄化された水と混合していることを検証するために使用されてもよい。ここでは、本開示のソフトおよびハード限界システムおよび方法論は、（そうである必要性はないが）ソフト限界に到達しているかどうかを決定するために、加重傾向または複数の日および／または処置にわたる傾向を探求してもよい。例えば、移動平均３日または処置傾向が、命令された伝導率のある正確度パーセンテージを下回る、例えば、９５パーセント正確度またはそれを下回る場合、ソフト限界に到達する。そのようなときに、患者またはユーザは、使い捨てセットを交換するように、またはすぐに使い捨てセットを交換するように準備するように指示され得る。加重傾向は、規定された正確度レベルを下回る１つ以上の混合伝導率結果が、ソフト限界をトリガすることなく生じることを可能にする。３日平均傾向では、例えば、３日で９６％、９６％、および９４％の混合伝導率正確度を生じる場合、９５．３％の平均は、ソフト限界がトリガされないように、９５％の正確度限界を上回ったままである。しかし、次の日もまた、例えば、９４％の混合伝導率正確度を産出する場合、現在の３日の結果は、９６％、９４％、および９４％になり、９４．７％の平均を生じ、これは、本開示のソフト限界をトリガする。混合物が、過剰反応しないように、それによって、使い捨てセットの寿命を延長するように、移動平均は、異常が典型的に起こる状況では、例えば、完全に均質ではない場合がある混合状況では、異常が起こることを可能にする。
【０１２２】
図４の腹膜透析システム２１０と関連して議論される実施例はそれぞれ、本明細書に議論される任意の血液清浄化モダリティ、例えば、医療流体送達機械９０および／または血液セット１００を採用するものに等しく適用可能であることを理解されたい。図２は、例えば、空気圧完全性および性能試験、圧送出力試験、および／またはちょうど説明されたような混合正確度試験を受け得る、空気圧で動作される血液セット１００を示す。
【０１２３】
ここで図５を参照すると、図示されるような保守形態は、保守人員１３２ａ−１３２（図３）のコンピュータにおいて、医師または臨床医１２６ａ−１２６ｎ（図３）のコンピュータにおいて、および／または機械９０（図３）および／または２１２（図４）自体の上に実装されてもよい。図５は、本開示の保守形態の実施形態を図示する。構成要素使用カウントが、ｘ軸に沿って提供される一方、構成要素に関する性能メトリックが、ｙ軸に沿って提供される。図示される実施例では、より良好な性能は、ｙ軸に沿ったより大きい数、例えば、限外濾過器８０（図１）を通した流体流率によって示される。
【０１２４】
図５に図示されるように、第１の構成要素交換シナリオ（１）では、構成要素、例えば、限外濾過器８０は、ある数の処置後またはある数の使用時間後に交換される。本シナリオは、構成要素が故障後に使用されないことを確実にするために、処置数限界または使用時間限界が、本シナリオ下で分析される構成要素のそれぞれにおける変動を考慮するために、安全係数を用いて低く設定される必要性があるため、不利である。
【０１２５】
図５に図示されるように、第２の構成要素交換シナリオ（２）では、構成要素は、これが故障した後に即応に交換される。本シナリオもまた、別の処置が実行され得る前に交換がここでで必要であり、これは、新しい構成要素が復旧される間に機械を非直結にし得るため、不利である。また、構成要素は、処置の間に故障し得、潜在的に、安全性問題を生じる。さらに、構成要素故障は、機械９０またはサイクラ２１２に関して患者、医師、および／または臨床医に否定的な印象を残し得る。
【０１２６】
図５に図示されるように、本開示の保守形態では、ソフト限界が、ハード限界を上回るある程度の安全係数において設定され、これは、ｙ軸に沿って構成要素故障性能を示す。図示されるようなソフト限界は、概して、保守的時間または使用ベースの限界よりも多くの数の処置または動作時間を可能にするであろう。構成要素がソフト限界において交換される場合であっても、保守的限界に対して、経時的に構成要素寿命の延長および構成要素および保守コストの減少が存在する可能性が高い。
【０１２７】
しかしながら、ソフト限界に到達するときに構成要素を交換することは、要求されない。ソフト限界は、代わりに、構成要素交換が差し迫っていることを関連する人々に通告する。ソフト限界は、構成要素が構成要素交換限界に対して良好に機能している程度のインジケーションを提供するための本開示による１つの方法である。
【０１２８】
図５のｘ軸を構成するために、すなわち、ユニットに構成要素の（ｉ）使用カウント（例えば、処置の数）または（ｉｉ）構成要素使用時間（例えば、実際に実施された運用の時間）を表させるための少なくとも２つの方法が存在する。また、ｙ軸に沿った性能メトリックが測定され得る、少なくとも２つの一般的方法も存在する。第１の方法では、機械構成要素の性能メトリックは、構成要素の出力を測定することによって測定される。一実施例では、限外濾過器８０が、設定入口流体圧力における限外濾過器から限外濾過器までの浄化流体の出力流率を測定することによって評価されてもよい。第２の方法では、機械構成要素の性能メトリックは、構成要素を試験することによって測定される。一実施例では、限外濾過器８０が、圧力試験、例えば、圧力減衰試験を介して評価されてもよい。出力および試験メトリックは両方とも、限外濾過器８０の多孔性中空繊維膜を評価する。流率メトリックは、多孔性中空繊維膜が閉塞または遮断されているかどうかを確認するようにチェックする一方、圧力試験メトリックは、多孔性中空繊維膜が漏出しているかどうか、例えば、膜のうちの１つ以上のものに裂け目が存在しているかどうかを確認するようにチェックする。
【０１２９】
したがって、例えば、データベースを介して、または図５のもの等のグラフを介して、同一の構成要素、例えば、限外濾過器８０に関する２つ以上の性能メトリックを追跡することが、考慮される。アルゴリズムが、次いで、性能メトリックのうちのいずれかが個別のソフト限界または個別のハード限界に到達すると、信号伝達するようにプログラムされる。すなわち、最初に失敗する、または失敗し始めるメトリックが、構成要素の交換を制御する。
【０１３０】
両方の性能メトリック分析、すなわち、構成要素出力および構成要素試験は、医療流体送達機械９０またはサイクラ２１２を使用して、処置毎に１回以上の回数実施されてもよい。例えば、限外濾過器８０の圧力試験は、限外濾過器８０が漏出していないことを確実にするために、各処置前に実施されてもよい。限外濾過器８０の出力は、例えば、新鮮な透析流体ポンプ６４によって提供される設定圧送圧力における、限外濾過器８０から透析器４０までのライン７６（図１）に沿った新鮮な透析流体の流率である。処置のための平均流率は、透析器４０に送達された透析流体の合計量を透析流体ポンプ６４が処置の間に起動している合計時間（例えば、アラームのための中断時間を差し引いた合計処置時間等）で除算することによって決定され得る。処置性能メトリックデータの生成は、本開示のソフト限界を監視し、構成要素が構成要素交換限界に対して良好に機能している程度を追跡するために重要である。処置あたり性能データが、上記に議論されるような全体的システム１１０の所望の場所にアップロードされる、および／または機械９０またはサイクラ２１２において維持されてもよい。
【０１３１】
以下は、図５による性能メトリックとして監視され得る出力を有する図１−４からの構成要素、すなわち、（ｉ）浄化水流率出力を有する水浄化ユニット６０の限外濾過器、（ｉｉ）浄化水流率出力を有する水浄化ユニット６０のポンプ、（ｉｉｉ）塩素除去能力出力を有する水浄化ユニット６０の濾過器前パック、（ｉｖ）血液流率出力を有する血液ポンプ３０、（ｖ）血液流率出力を有する透析器４０、（ｖｉ）それぞれ、新鮮な水および濃縮物流率出力を有する新鮮な水および濃縮物ポンプ（図１に図示せず）、（ｖｉｉ）新鮮な透析流体流率出力を有する新鮮な透析流体ポンプ６６、（ｖｉｉｉ）新鮮な透析流体流率出力を有する限外濾過器８０、（ｉｘ）使用された透析流体流率出力を有する透析器４０、（ｘ）使用された透析流体流率出力を有する使用された透析流体ポンプ９６、（ｘｉ）限外濾過液流率出力を有する限外濾過液ポンプ（図１に図示せず）、および（ｘｉｉ）血液セット１００および使い捨てセット２２０に関する出力メトリックの非包括的リストである。
【０１３２】
上記のリストから、新鮮な透析流体流率等のある出力は、複数の構成要素、例えば、新鮮な透析流体ポンプ６６および限外濾過器８０と関連付けられることを理解されたい。下記に詳細に議論されるように、医療流体送達機械９０またはサイクラ２１２の異なる構成要素に関する特徴的な性能曲線を展開および維持することが、考慮される。同一の出力と関連付けられる２つの異なる構成要素に関する特徴的な性能曲線は、実際の性能曲線がどの構成要素が故障しているかを指示するように十分に異なり得る。例えば、限外濾過器８０からの特徴的な出力流率は、図５のように経時的に傾斜し得る一方、新鮮な透析流体ポンプ６６からの特徴的な出力流率は、性能の急激な低下を示し得る。実際の新鮮な透析流体流率の劣化が、特徴的な新鮮な透析流体流率の劣化のうちの１つと合致する場合、対応する構成要素が、原因であると仮定され得る。代替として、保守担当者は、いずれかの構成要素、例えば、保守が実施されるときに必要とされるいずれかの透析流体ポンプ６６または限外濾過器８０を交換するように準備してもよい。
【０１３３】
以下は、図５による性能メトリックとして試験され得る出力を有する、図１−４からの構成要素、すなわち、（ｉ）水浄化ユニット６０の限外濾過器の圧力試験、（ｉｉ）既知の脱塩素処理水および／または既知の量の塩素の水を使用する水浄化ユニット６０の塩素センサの試験、（ｉｉｉ）ゼロ伝導率の流体および／または既知の伝導率の流体を使用する図１の透析流体回路７０内の任意または全ての伝導率センサの試験、（ｉｖ）既知の圧力における試験流体（例えば、空気）を使用する図１の血液回路２０および透析流体回路７０と関連付けられる任意または全ての圧力センサ（例えば、空気圧センサ）の試験、（ｖ）図１の血液回路２０および透析流体回路７０と関連付けられる任意または全ての弁（例えば、空気圧弁）の漏出試験（例えば、圧力減衰試験）、（ｖｉ）図１の血液回路２０および透析流体回路７０と関連付けられる任意の流体ライン区分の圧力試験（例えば、圧力減衰）であって、区分は、区画を画定し、ポンプチャンバがライン区画を流体的に加圧することを可能にする流体弁の間に流体ポンプチャンバを含む、（ｖｉｉ）限外濾過器８０の圧力試験（例えば、圧力減衰）、（ｖｉｉｉ）透析器４０の膜のクリアランス能力を評価するための当業者に公知の繊維束試験、（ｉｘ）透析器４０の膜のクリアランス能力を評価するための当業者に公知の伝導率またはナトリウムスパイク試験（例えば、透析器４０の上流および下流）、（ｘ）センサを通して空気を取り込んでいることが既知の液体を通過させることを介した空気検出器２２ａおよび２２ｖの試験、および（ｘｉ）血液セット１００および使い捨てセット２２０に実施される試験の非包括的リストである。
【０１３４】
一実施形態では、構成要素の性能が図５に図示されるようなソフト限界に到達すると、構成要素は、「監視モード」に置かれる。監視モード構成要素は、種々の方法で必要な個人に通信され得る。図６は、むしろ、保守担当者または臨床医が、コンピュータにおいて遠隔にではなく、機械自体において情報にアクセスするであろう、診療所１２６ａ−１２６ｎにおける機械９０（またはサイクラ２１２の画面２１６）の無線タブレットユーザインターフェース１２２（図３）上に提供され得る、監視モード画面２４２を図示する。監視モード画面２４２は、一実施形態では、その機械９０またはサイクラ２１２に特有である。監視モード画面２４２は、その性能データまたは試験データが図５に図示されるソフト限界まで劣化している、機械９０またはサイクラ２１２の各構成要素を列挙する。構成要素毎に、図６の例示的監視モード画面２４２は、（ｉ）構成要素の名称、（ｉｉ）機械９０またはサイクラ２１２内の構成要素の場所（例えば、同一の構成要素のうちの複数のもののどれかを規定する）、（ｉｉｉ）製品注文または交換番号、（ｉｖ）交換限界前の推測される使用または時間の数、（ｖ）推測される交換限界日付、および（ｖｉ）図５のような性能データまたは試験データ（例えば、推測される交換限界日付も示す）のチャートまたはグラフへのリンクを提供する。
【０１３５】
図示される実施形態では、構成要素は、交換緊急度によって順序付けられ、最も高い緊急度を有する構成要素が、最上部に列挙される。画面２４２は、ソフト限界データを精査するように臨床医または保守担当者を促すためのフラグまたはアラートとして機械９０（またはサイクラ２１２の画面２１６）によって提供されてもよい。代替として、画面２４２は、臨床医または保守担当者が日常的にチェックするように命令される、機械９０（またはサイクラ２１２の画面２１６）の保守モードの一部として提供される。
【０１３６】
推測される使用または時間の交換限界数は、一実施形態では、少なくとも２つのデータ点からの線の傾斜を決定し、チャートのｘ軸に沿って将来の間隔に関して決定された傾斜において最後のデータ点から線を延在させ、延在された線が水平交換限界線（図５）に当たる場所を決定し、そこから構成要素故障が起こる前に利用可能であり得る付加的処置または運用時間の数を推定することによって提供される。週末、休日、休業日等を考慮して、１日毎に実施される処置または運用時間の数が把握される場合、推定された付加的処置または運用時間は、加えて、必須構成要素交換の推測される将来の日付に変換され得る。
【０１３７】
最後の２つのデータ点にわたる線形傾斜を使用することは、反応的すぎると見出される場合がある。故に、代替として、曲線を全ての関連するデータ点に数学的に適合させることが、考慮される。例えば、図５に図示されるように、曲線が、例えば、１０回または１１回使用（ｘ軸）において起こる、８の出力（ｙ軸）において始まる、ソフト限界出力（６の出力）を上回る所定のパーセンテージである全ての性能メトリックデータ点に適合され得る。いったん実際の出力がソフト限界出力（１９回の構成要素使用における）に当たると、構成要素は、監視モード画面２４２に追加され、故障までの予測された付加的構成要素使用の数が、提供される。１０〜１９回使用の図５の線ｌ１の傾斜は、故障前の約２７回の合計使用を予測する。しかしながら、いったん監視リスト上に挙げられると、２１回および２２回使用における性能メトリック出力を考慮する数学的曲線は、２４回の合計使用であるように線ｌ２を介して故障（４の出力）までの予測を調節する。２２回使用において、保守担当者または他の認可された人員は、したがって、構成要素を迅速に交換すべきことを把握する。
【０１３８】
ここで図７を参照すると、保守人員１３２ａ−１３２ｎのコンピュータおよび／または病院または診療所１２６ａ−１２６ｎのコンピュータにおいて示される例示的監視モード画面２４４が、図示される。保守人員１３２ａ−１３２ｎおよび病院または診療所１２６ａ−１２６ｎは、複数の機械９０またはサイクラ２１２を監視する。監視モード画面２４４は、それに応じて、ソフト限界またはそれを下回る性能または試験データを伴う少なくとも１つの構成要素を有する、保守人員１３２ａ−１３２ｎまたは病院または診療所１２６ａ−１２６ｎの制御下の各機械を列挙する。一覧毎に、例示的監視モード画面２４４は、（ｉ）場所（例えば、施設、施設における部屋、または患者の自宅）、（ｉｉ）機械識別／タイプ、（ｉｉｉ）その機械に関するソフト限界における構成要素の数、（ｉｖ）故障までの最も短い使用／時間の数、および（ｖ）最も早い故障の日付を提供する。再び、監視モード画面２４４の一覧は、交換緊急度によって順序付けられてもよく、最も高い緊急度を有する構成要素を伴う機械９０またはサイクラ２１２が、最上部に列挙される。
【０１３９】
図７は、１つの診療所または病院下の異なるタイプの機械、例えば、血液透析機械（「ＨＤ」）、腹膜透析機械（「ＰＤ」）、注入または大容量ポンプ（「ＬＶＰ」）、およびＣＲＲＴ機械を図示する。場所列に関して、診療所場所は、センター内機械９０またはサイクラ２１２に関して列挙され得る一方、患者の名前（例えば、Ｊ．  Ｄｏｅ、Ｐ．  Ｓｈｅｎｔ）は、在宅機械９０またはサイクラ２１２に関して列挙され得ることに留意されたい。
【０１４０】
監視モード画面２４４は、プロンプトとして診療所１２６ａ−１２６ｎまたは保守人員１３２のコンピュータにおいてフラグまたはアラートファイルとして提供されてもよい。代替として、臨床医、保守担当者、または他の認可された人物が、日常的に監視モード画面２４４をチェックする業務を課されてもよい。保守担当者、臨床医、または他の認可された人物が、監視モード画面２４４上の機械一覧のうちの１つを選択すると、図６において上記に議論される監視モード画面２４２と同一または類似する画面が、臨床医コンピュータ１２６ａ−１２６ｎまたは保守担当者コンピュータ１３２上に現れ、上記に議論される画面２４２によって提供される全ての情報を含む、ソフト限界またはそれを下回る性能または試験データを伴う選択された機械の各構成要素を示す。保守担当者、臨床医、または他の認可された人物は、それに応じて、進行する。
【０１４１】
データにおける傾向を観察する試みにおいて複数のサイクルにわたって性能または試験データを分析および追跡することが、本開示の別の特徴である。例えば、図６は、特定の機械９０（またはサイクラ２１２の画面２１６）に関する監視モード画面２４２が、限外濾過器傾向ボタン２４６、透析器傾向ボタン２４８、圧力センサ傾向ボタン２５０、および空気圧弁傾向ボタン２５２等の頻繁に交換される構成要素のための傾向ボタンを提供し得ることを示す。傾向ボタンのうちのいずれか、例えば、限外濾過器傾向ボタン２４６を選択することは、図８の限外濾過器傾向画面２５４等の専用傾向画面をユーザにもたらし、これは、機械ユーザインターフェースまたはタブレット１２２、サイクラ２１２の画面２１６、病院または診療所１２６のコンピュータ、または保守担当者１３２のコンピュータのうちのいずれかの上に表示されてもよい。
【０１４２】
限外濾過器傾向画面２５４は、限外濾過器８０（図１）が、同一の機械９０またはサイクラ２１２上で、および一実施形態では、同一の患者に関して交換された（垂直破線）、４つの異なる連続的事例を図示する。同一の日付に関して、上側プロットは、流率出力を示す一方、下側プロットは、駆動圧力を示す。図８の限外濾過器傾向画面２５４を閲覧する保守担当者、臨床医、または他のユーザは、（ｉ）限外濾過器８０が特定の患者を処置する特定の機械に関して持続する平均の長さ、（ｉｉ）限外濾過器８０の交換のすぐ前の流率曲線の状態、および（ｉｉｉ）限外濾過器８０の交換のすぐ前の駆動圧力曲線の状態を感知する。画面２５４の最も右側における、日付０２／０６／２０１６〜０２／１８／２０１６からのプロットを閲覧すると、ユーザは、全ての３つのインジケータ、すなわち、運用の持続時間、流率出力、および要求される駆動圧力が、現在の限外濾過器８０が現在良好に機能しており、交換が差し迫っていないことを示すことを確認することができる。類似する結論が、図６に図示される透析器傾向ボタン２４８を介した透析器、圧力センサ傾向ボタン２５０を介した圧力センサ、および空気圧弁傾向ボタン２５２を介した空気圧弁に関する性能傾向を閲覧して下され得ることが考慮される。
【０１４３】
図６は、単一の機械９０またはサイクラ２１２に関する傾向ボタンを提供する。機械９０またはサイクラ２１２が自宅において提供される場合、傾向ボタンはまた、単一の患者のためのものであろう。したがって、本開示のシステム１０および保守形態は、どの構成要素を患者が最も頻繁に消費しているか、および頻度を追跡することを含む、具体的患者に関する傾向を展開することが、明確に考慮される。１人の患者の傾向を別のものと比較することは、ある構成要素がある患者に関してより速く摩耗する理由を明らかにし得る。そのような分析は、あるタイプの処置または処置処方、例えば、より頻繁な処置、より長い処置、より高い温度処置等が、ある機械構成要素のより頻繁な交換につながるという決定につながり得る。
【０１４４】
機械９０またはサイクラ２１２が診療所１２６ａ−１２６ｎにおいて提供される場合、傾向ボタンは、複数の患者のためのものである可能性が高いであろう。複数の患者を処置する機械に関するデータを分析することは、個々の患者を方程式から除外する傾向がある。本データは、システム１０が、同一の機械の２つの異なる型、例えば、異なる製造業者またはより古い機械対より新しい機械を比較するために良好である。そのような分析は、機械９０またはサイクラ２１２のあるタイプの型またはブランドが、ある機械構成要素のより頻繁な交換につながるという決定につながり得る。
【０１４５】
図７は、ユーザが、診療所全体を横断して、複数の診療所を横断して、または製造業者のプラットフォーム全体を横断して同様の機械（ＨＤ、ＰＤ、ＬＶＰ、ＣＲＲＴ）から組み合わせられたデータを確認することを可能にするボタンを図示する。限外濾過器平均化ボタン２５６は、例えば、平均化された交換持続時間を提供し、異なるものが存在する場合、限外濾過器ブランドによって、および／または平均動作圧力、透析流体温度等の任意の他の所望の特徴によってそのようなデータを分割し得る。類似する情報が、透析器平均化ボタン２５８を介して透析器４０に関して提供されてもよく、加えて、血液流率に照らした分析を含んでもよい。平均化はまた、圧力センサ、空気圧弁、およびポンプおよび弁ダイヤフラム等の他の望ましい構成要素に関して実施および表示されてもよい。
【０１４６】
図７はまた、どの構成要素が速やかに再注文されるべきか、および理由をユーザに示す、即時再注文ボタン２６０を図示する。それぞれ、限外濾過器８０に関するリードタイムおよび最小注文数量が、４週間および１００個であり、２０個の限外濾過器が現在在庫にあると仮定する。また、本開示の保守形態が、平均して、３つの限外濾過器８０が毎週交換されることを示すが、現在のソフト限界リストが、６つの限外濾過器８０が現在それらのソフト限界にあることを示し、推測される必須交換まで５日またはそれを下回る日を伴うと仮定する。次の４週間（１つのリードタイム周期）に関する推定は、したがって、６（第１週に関するソフト限界）＋３（第２週に関する平均）＋３（第３週に関する平均）＋３（第４週に関する平均）、または１５個の限外濾過器８０が消費されるであろうことである。保守形態は、４週間（１つのリードタイム周期）推測が在庫に残っている５つまたはそれよりも少ない限外濾過器８０を示すときは常に、即時再注文ボタン２６０を介してユーザにアラートするようにプログラムされてもよい。即時再注文ボタン２６０を押すと、それによって、限外濾過器８０を再注文するようにユーザに通知し、一実施形態では、したがって、推測を提供する。
【０１４７】
本明細書に説明される本好ましい実施形態の種々の変更および修正が、当業者に明白となるであろうことを理解されたい。そのような変更および修正は、本主題の精神および範囲から逸脱することなく、かつその意図される利点を減少させることなく成されることができる。したがって、そのような変更および修正は、添付される請求項によって網羅されることが意図される。
【図１】
2019534745.tif 000003
【図２】
2019534745.tif 000004
【図３】
2019534745.tif 000005
【図４】
2019534745.tif 000006
【図５】
2019534745.tif 000007
【図６】
2019534745.tif 000008
【図７】
2019534745.tif 000009
【図８】
2019534745.tif 000010
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
医療流体送達システムであって、
関連付けられる出力データを生産する少なくとも１つの構成要素を含む医療流体送達機械と、
前記少なくとも１つの構成要素に関する少なくとも１つの構成要素交換限界と、
前記少なくとも１つの構成要素に関する少なくとも１つの構成要素ソフト限界と、
コンピュータであって、
前記少なくとも１つの構成要素交換限界および前記少なくとも１つの構成要素ソフト限界を記憶することと、
前記少なくとも１つの構成要素交換限界および前記少なくとも１つの構成要素ソフト限界に関連して前記出力データを分析することと、
前記少なくとも１つの構成要素がその構成要素交換限界に対して良好に機能している程度のインジケーションを提供することであって、前記インジケーションは、前記構成要素がその構成要素ソフト限界とその構成要素交換限界との間で機能しているかどうかを含む、ことと
を行うようにプログラムされる、コンピュータと
を備える、医療流体送達システム。
【請求項２】
前記医療流体送達機械は、ディスプレイデバイスを含み、前記コンピュータは、前記医療流体送達機械の制御ユニットによって提供され、前記インジケーションは、前記医療流体送達機械の前記ディスプレイデバイスによって表示される、請求項１に記載の医療流体送達システム。
【請求項３】
前記コンピュータは、ディスプレイデバイスを有する遠隔コンピュータであり、前記医療流体送達機械は、少なくとも１つのサーバを介して前記遠隔コンピュータとデータ通信し、前記インジケーションは、前記遠隔コンピュータの前記ディスプレイデバイスによって表示される、請求項１に記載の医療流体送達システム。
【請求項４】
前記関連付けられる出力データは、流率を含み、前記構成要素交換限界のうちの少なくとも１つは、構成要素交換流率である、請求項１に記載の医療流体送達システム。
【請求項５】
前記少なくとも１つの構成要素は、（ｉ）濾過器であって、前記流率は、前記濾過器の下流の流率である、濾過器、（ｉｉ）医療流体送達ポンプであって、前記流率は、前記医療流体送達ポンプの下流の流率である、医療流体送達ポンプ、または（ｉｉｉ）使い捨てアイテムであって、前記流率は、前記使い捨てアイテムの下流の流率である、使い捨てアイテムを含む、請求項４に記載の医療流体送達システム。
【請求項６】
前記インジケーションは、前記少なくとも１つの構成要素交換限界に到達する前に、前記少なくとも１つの構成要素に残っている使用数または処置数を含む、請求項１に記載の医療流体送達システム。
【請求項７】
前記コンピュータは、そのソフト限界およびその構成要素交換限界に対して機能する前記少なくとも１つの構成要素を示す少なくとも１つの構成要素性能グラフを生成するようにプログラムされる、請求項１に記載の医療流体送達システム。
【請求項８】
前記コンピュータは、前記少なくとも１つの構成要素がそのソフト限界とその構成要素交換限界との間で機能しているとき、構成要素性能がその交換限界に到達するであろうときの推定値を生成するようにプログラムされる、請求項１に記載の医療流体送達システム。
【請求項９】
前記コンピュータは、遠隔コンピュータであり、前記医療流体送達機械は、少なくとも１つのサーバを介して前記遠隔コンピュータとデータ通信し、そのソフト限界とその構成要素交換限界との間で機能する各構成要素を示す前記コンピュータによって提供されるファイルを含む、請求項１に記載の医療流体送達システム。
【請求項１０】
前記コンピュータは、遠隔コンピュータであり、前記医療流体送達機械は、少なくとも１つのサーバを介して前記遠隔コンピュータとデータ通信し、そのソフト限界とその構成要素交換限界との間で機能する各機械の各構成要素を示す前記コンピュータによって提供されるファイルを含む、請求項１に記載の医療流体送達システム。
【請求項１１】
前記コンピュータは、各処置が前記医療流体送達デバイスによって実施された後、前記構成要素と関連付けられる前記出力データを受信する、請求項１に記載の医療流体送達システム。
【請求項１２】
医療流体送達システムであって、
試験データを生産するために試験を受ける少なくとも１つの構成要素を含む医療流体送達機械と、
前記少なくとも１つの構成要素に関する少なくとも１つの構成要素交換限界と、
前記少なくとも１つの構成要素交換限界を記憶し、かつ前記試験データを分析し、前記少なくとも１つの構成要素がその構成要素交換限界に対して良好に試験している程度のインジケーションを提供するようにプログラムされる、コンピュータと
を備える、医療流体送達システム。
【請求項１３】
前記少なくとも１つの構成要素は、前記医療流体送達機械のためのセンサを含み、前記試験は、前記センサからの出力を分析する、請求項１２に記載の医療流体送達システム。
【請求項１４】
前記センサは、圧力センサ、伝導率センサ、または温度センサである、請求項１３に記載の医療流体送達システム。
【請求項１５】
前記医療流体送達機械は、空気圧源、および圧力センサを含み、前記試験は、前記少なくとも１つの構成要素が、前記圧力センサによって感知される前記源を介した空気圧を受ける圧力減衰試験である、請求項１２に記載の医療流体送達システム。
【請求項１６】
前記少なくとも１つの構成要素は、（ｉ）濾過膜を含む濾過器であって、前記圧力減衰試験は、前記濾過膜を試験する、濾過器、（ｉｉ）流体送達構成要素であって、前記圧力減衰試験は、漏出に関して前記流体送達構成要素を試験する、流体送達構成要素、（ｉｉｉ）使い捨て構成要素であって、前記圧力減衰試験は、漏出に関して前記使い捨て構成要素を試験する、使い捨て構成要素、または（ｉｖ）流体ラインであって、前記圧力減衰試験は、漏出に関して前記流体ラインを試験する、流体ラインを含む、請求項１５に記載の医療流体送達システム。
【請求項１７】
前記医療流体送達機械は、ディスプレイデバイスを含み、前記コンピュータは、前記医療流体送達機械の制御ユニットによって提供され、前記インジケーションは、前記医療流体送達機械の前記ディスプレイデバイスによって表示される、請求項１２に記載の医療流体送達システム。
【請求項１８】
前記コンピュータは、ディスプレイデバイスを有する遠隔コンピュータであり、前記医療流体送達機械は、少なくとも１つのサーバを介して前記遠隔コンピュータとデータ通信し、前記インジケーションは、前記遠隔コンピュータの前記ディスプレイデバイスによって表示される、請求項１２に記載の医療流体送達システム。
【請求項１９】
前記コンピュータによって記憶される前記少なくとも１つの構成要素交換限界に加えて、少なくとも１つの構成要素ソフト限界を含み、前記少なくとも１つの構成要素がその構成要素交換限界に対して良好に試験している程度のインジケーションは、構成要素試験性能がそのソフト限界とその構成要素交換限界との間にあるかどうかを含む、請求項１２に記載の医療流体送達システム。
【請求項２０】
前記コンピュータは、そのソフト限界およびその構成要素交換限界に対する前記少なくとも１つの構成要素試験性能を示す少なくとも１つの試験性能グラフを生成するようにプログラムされる、請求項１９に記載の医療流体送達システム。
【請求項２１】
前記コンピュータは、前記少なくとも１つの構成要素試験性能がそのソフト限界とその構成要素交換限界との間にあるとき、構成要素試験性能がその交換限界に到達するであろうときの推定値を生成するようにプログラムされる、請求項１９に記載の医療流体送達システム。
【請求項２２】
前記コンピュータは、遠隔コンピュータであり、前記医療流体送達機械は、少なくとも１つのサーバを介して前記遠隔コンピュータとデータ通信し、そのソフト限界とその構成要素交換限界との間の試験性能を有する各構成要素を示す前記コンピュータによって提供されるファイルを含む、請求項１２に記載の医療流体送達システム。
【請求項２３】
前記コンピュータは、遠隔コンピュータであり、前記医療流体送達機械は、少なくとも１つのサーバを介して前記遠隔コンピュータとデータ通信し、そのソフト限界とその構成要素交換限界との間の試験性能を有する各機械の各構成要素を示す前記コンピュータによって提供されるファイルを含む、請求項１２に記載の医療流体送達システム。
【請求項２４】
前記コンピュータは、各処置が前記医療流体送達デバイスによって実施された後、前記構成要素と関連付けられる前記試験データを受信する、請求項１２に記載の医療流体送達システム。
【請求項２５】
医療流体送達システムであって、
関連付けられる出力データおよび関連付けられる試験データを産出する少なくとも１つの構成要素を含む医療流体送達機械と、
前記少なくとも１つの構成要素に関する少なくとも１つの構成要素出力交換限界と、
前記少なくとも１つの構成要素に関する少なくとも１つの構成要素試験交換限界と、
前記少なくとも１つの構成要素出力交換限界および前記少なくとも１つの構成要素試験交換限界を記憶し、かつ前記出力データおよび前記試験データを分析し、前記少なくとも１つの構成要素がその構成要素出力交換限界に対して良好に機能している程度の第１のインジケーションおよび前記少なくとも１つの構成要素がその構成要素試験交換限界に対して良好に試験している程度の第２のインジケーションを提供するようにプログラムされる、コンピュータと
を備える、医療流体送達システム。
【請求項２６】
医療流体送達システムであって、
関連付けられる出力データまたは関連付けられる試験データのうちの少なくとも１つを産出する構成要素を含む、医療流体送達機械と、
（ｉ）前記構成要素に関する構成要素出力交換限界および構成要素出力ソフト限界、または（ｉｉ）前記構成要素に関する構成要素試験交換限界および構成要素試験ソフト限界、のうちの少なくとも１つと、
（ｉ）または（ｉｉ）のうちの少なくとも１つを記憶し、かつ（ｉ）に関して前記出力データを分析し、前記構成要素が前記構成要素出力交換限界および前記構成要素出力ソフト限界に対して良好に機能している程度の第１のインジケーションを提供し、（ｉｉ）に関して前記試験データを分析し、前記構成要素が前記構成要素試験交換限界および前記構成要素試験ソフト限界に対して良好に試験している程度の第２のインジケーションを提供するようにプログラムされる、コンピュータと
を備える、医療流体送達システム。
【請求項２７】
医療流体送達システムであって、
処置毎に、少なくとも１つの濃縮物を所望の医療流体処置のために好適にされた水と混合し、医療流体を形成するために、複数の処置にわたって使い捨てセットを用いて動作する医療流体送達機械と、
前記医療流体送達機械によって混合された前記医療流体の正確度を試験するように構成されるセンサであって、前記センサは、混合正確度出力を生産する、センサと、
前記センサによって提供された前記混合正確度出力を分析し、前記使い捨てセットが交換される必要があるかどうかを決定するようにプログラムされるコンピュータと
を備える、医療流体送達システム。
【請求項２８】
前記コンピュータは、ローリング平均を使用し、前記使い捨てセットが交換される必要があるかどうかを決定するようにプログラムされる、請求項２７に記載の医療流体送達システム。
【請求項２９】
前記コンピュータは、前記医療流体送達機械のためのコンピュータまたは前記医療流体送達機械から遠隔に位置するコンピュータである、請求項２７に記載の医療流体送達システム。
【請求項３０】
前記コンピュータは、前記使い捨てセットが（ｉ）現在交換される必要があるか、または（ｉｉ）将来の処置のために交換される必要があるかのうちの少なくとも１つを決定するようにプログラムされる、請求項２７に記載の医療流体送達システム。
【手続補正２】
【補正対象書類名】明細書
【補正対象項目名】００７２
【補正方法】変更
【補正の内容】
【００７２】
本明細書に議論される利点は、本明細書に開示される実施形態のうちの１つまたはいくつかに見出され得、おそらく、その全てに見出されるわけではない。付加的特徴および利点が、本明細書に説明され、以下の詳細な説明および図から明白となるであろう。
本発明は、例えば、以下を提供する。
（項目１）
医療流体送達システムであって、
関連付けられる出力データを生産する少なくとも１つの構成要素を含む医療流体送達機械と、
前記少なくとも１つの構成要素に関する少なくとも１つの構成要素交換限界と、
前記少なくとも１つの構成要素交換限界を記憶し、かつ前記出力データを分析し、前記少なくとも１つの構成要素がその構成要素交換限界に対して良好に機能している程度のインジケーションを提供するようにプログラムされる、コンピュータと
を備える、医療流体送達システム。
（項目２）
前記医療流体送達機械は、ディスプレイデバイスを含み、前記コンピュータは、前記医療流体送達機械の制御ユニットによって提供され、前記インジケーションは、前記医療流体送達機械の前記ディスプレイデバイスによって表示される、項目１に記載の医療流体送達システム。
（項目３）
前記コンピュータは、ディスプレイデバイスを有する遠隔コンピュータであり、前記医療流体送達機械は、少なくとも１つのサーバを介して前記遠隔コンピュータとデータ通信し、前記インジケーションは、前記遠隔コンピュータの前記ディスプレイデバイスによって表示される、項目１に記載の医療流体送達システム。
（項目４）
前記関連付けられる出力データは、流率を含み、前記構成要素交換限界のうちの少なくとも１つは、構成要素交換流率である、項目１に記載の医療流体送達システム。
（項目５）
前記少なくとも１つの構成要素は、（ｉ）濾過器であって、前記流率は、前記濾過器の下流の流率である、濾過器、（ｉｉ）医療流体送達ポンプであって、前記流率は、前記医療流体送達ポンプの下流の流率である、医療流体送達ポンプ、または（ｉｉｉ）使い捨てアイテムであって、前記流率は、前記使い捨てアイテムの下流の流率である、使い捨てアイテムを含む、項目４に記載の医療流体送達システム。
（項目６）
前記コンピュータによって記憶される前記少なくとも１つの構成要素交換限界に加えて、少なくとも１つの構成要素ソフト限界を含み、前記少なくとも１つの構成要素がその構成要素交換限界に対して良好に機能している程度のインジケーションは、前記構成要素がそのソフト限界とその構成要素交換限界との間で機能しているかどうかを含む、項目１に記載の医療流体送達システム。
（項目７）
前記コンピュータは、そのソフト限界およびその構成要素交換限界に対して機能する前記少なくとも１つの構成要素を示す少なくとも１つの構成要素性能グラフを生成するようにプログラムされる、項目６に記載の医療流体送達システム。
（項目８）
前記コンピュータは、前記少なくとも１つの構成要素がそのソフト限界とその構成要素交換限界との間で機能しているとき、構成要素性能がその交換限界に到達するであろうときの推定値を生成するようにプログラムされる、項目６に記載の医療流体送達システム。
（項目９）
前記コンピュータは、遠隔コンピュータであり、前記医療流体送達機械は、少なくとも１つのサーバを介して前記遠隔コンピュータとデータ通信し、そのソフト限界とその構成要素交換限界との間で機能する各構成要素を示す前記コンピュータによって提供されるファイルを含む、項目６に記載の医療流体送達システム。
（項目１０）
前記コンピュータは、遠隔コンピュータであり、前記医療流体送達機械は、少なくとも１つのサーバを介して前記遠隔コンピュータとデータ通信し、そのソフト限界とその構成要素交換限界との間で機能する各機械の各構成要素を示す前記コンピュータによって提供されるファイルを含む、項目６に記載の医療流体送達システム。
（項目１１）
前記コンピュータは、各処置が前記医療流体送達デバイスによって実施された後、前記構成要素と関連付けられる前記出力データを受信する、項目１に記載の医療流体送達システム。
（項目１２）
医療流体送達システムであって、
試験データを生産するために試験を受ける少なくとも１つの構成要素を含む医療流体送達機械と、
前記少なくとも１つの構成要素に関する少なくとも１つの構成要素交換限界と、
前記少なくとも１つの構成要素交換限界を記憶し、かつ前記試験データを分析し、前記少なくとも１つの構成要素がその構成要素交換限界に対して良好に試験している程度のインジケーションを提供するようにプログラムされる、コンピュータと
を備える、医療流体送達システム。
（項目１３）
前記少なくとも１つの構成要素は、前記医療流体送達機械のためのセンサを含み、前記試験は、前記センサからの出力を分析する、項目１２に記載の医療流体送達システム。
（項目１４）
前記センサは、圧力センサ、伝導率センサ、または温度センサである、項目１３に記載の医療流体送達システム。
（項目１５）
前記医療流体送達機械は、空気圧源、圧力センサを含み、前記試験は、前記少なくとも１つの構成要素が、前記圧力センサによって感知される前記源を介した空気圧を受ける圧力減衰試験である、項目１２に記載の医療流体送達システム。
（項目１６）
前記少なくとも１つの構成要素は、（ｉ）濾過膜を含む濾過器であって、前記圧力減衰試験は、前記濾過膜を試験する、濾過器、（ｉｉ）流体送達構成要素であって、前記圧力減衰試験は、漏出に関して前記流体送達構成要素を試験する、流体送達構成要素、（ｉｉｉ）使い捨て構成要素であって、前記圧力減衰試験は、漏出に関して前記使い捨て構成要素を試験する、使い捨て構成要素、または（ｉｖ）流体ラインであって、前記圧力減衰試験は、漏出に関して前記流体ラインを試験する、流体ラインを含む、項目１５に記載の医療流体送達システム。
（項目１７）
前記医療流体送達機械は、ディスプレイデバイスを含み、前記コンピュータは、前記医療流体送達機械の制御ユニットによって提供され、前記インジケーションは、前記医療流体送達機械の前記ディスプレイデバイスによって表示される、項目１２に記載の医療流体送達システム。
（項目１８）
前記コンピュータは、ディスプレイデバイスを有する遠隔コンピュータであり、前記医療流体送達機械は、少なくとも１つのサーバを介して前記遠隔コンピュータとデータ通信し、前記インジケーションは、前記遠隔コンピュータの前記ディスプレイデバイスによって表示される、項目１２に記載の医療流体送達システム。
（項目１９）
前記コンピュータによって記憶される前記少なくとも１つの構成要素交換限界に加えて、少なくとも１つの構成要素ソフト限界を含み、前記少なくとも１つの構成要素がその構成要素交換限界に対して良好に試験している程度のインジケーションは、構成要素試験性能がそのソフト限界とその構成要素交換限界との間にあるかどうかを含む、項目１２に記載の医療流体送達システム。
（項目２０）
前記コンピュータは、そのソフト限界およびその構成要素交換限界に対する前記少なくとも１つの構成要素試験性能を示す少なくとも１つの試験性能グラフを生成するようにプログラムされる、項目１９に記載の医療流体送達システム。
（項目２１）
前記コンピュータは、前記少なくとも１つの構成要素試験性能がそのソフト限界とその構成要素交換限界との間にあるとき、構成要素試験性能がその交換限界に到達するであろうときの推定値を生成するようにプログラムされる、項目１９に記載の医療流体送達システム。
（項目２２）
前記コンピュータは、遠隔コンピュータであり、前記医療流体送達機械は、少なくとも１つのサーバを介して前記遠隔コンピュータとデータ通信し、そのソフト限界とその構成要素交換限界との間の試験性能を有する各構成要素を示す前記コンピュータによって提供されるファイルを含む、項目１９に記載の医療流体送達システム。
（項目２３）
前記コンピュータは、遠隔コンピュータであり、前記医療流体送達機械は、少なくとも１つのサーバを介して前記遠隔コンピュータとデータ通信し、そのソフト限界とその構成要素交換限界との間の試験性能を有する各機械の各構成要素を示す前記コンピュータによって提供されるファイルを含む、項目１９に記載の医療流体送達システム。
（項目２４）
前記コンピュータは、各処置が前記医療流体送達デバイスによって実施された後、前記構成要素と関連付けられる前記試験データを受信する、項目１２に記載の医療流体送達システム。
（項目２５）
医療流体送達システムであって、
関連付けられる出力データおよび関連付けられる試験データを産出する少なくとも１つの構成要素を含む医療流体送達機械と、
前記少なくとも１つの構成要素に関する少なくとも１つの構成要素出力交換限界と、
前記少なくとも１つの構成要素に関する少なくとも１つの構成要素試験交換限界と、
前記少なくとも１つの構成要素出力交換限界および前記少なくとも１つの構成要素試験交換限界を記憶し、かつ前記出力データおよび前記試験データを分析し、前記少なくとも１つの構成要素がその構成要素出力交換限界に対して良好に機能している程度の第１のインジケーションおよび前記少なくとも１つの構成要素がその前記構成要素試験交換限界に対して良好に試験している程度の第２のインジケーションを提供するようにプログラムされる、コンピュータと
を備える、医療流体送達システム。
（項目２６）
医療流体送達システムであって、
関連付けられる出力データまたは関連付けられる試験データのうちの少なくとも１つを産出する構成要素を含む、医療流体送達機械と、
（ｉ）前記構成要素に関する構成要素出力交換限界または構成要素出力ソフト限界または（ｉｉ）前記構成要素に関する構成要素試験交換限界または構成要素試験ソフト限界のうちの少なくとも１つと、
（ｉ）または（ｉｉ）のうちの少なくとも１つを記憶し、かつ（ｉ）に関して前記出力データを分析し、前記構成要素が前記構成要素出力交換限界および前記構成要素出力ソフト限界に対して良好に機能している程度の第１のインジケーションを提供し、（ｉｉ）に関して前記試験データを分析し、前記少なくとも１つの構成要素が前記構成要素試験交換限界および前記構成要素試験ソフト限界に対して良好に試験している程度の第２のインジケーションを提供するようにプログラムされる、コンピュータと
を備える、医療流体送達システム。
（項目２７）
医療流体送達システムであって、
処置毎に、少なくとも１つの濃縮物を所望の医療流体処置のために好適にされた水と混合し、医療流体を形成するために、複数の処置にわたって使い捨てセットを用いて動作する医療流体送達機械と、
前記医療流体送達機械によって混合された前記医療流体の正確度を試験するように構成されるセンサであって、前記センサは、混合正確度出力を生産する、センサと、
前記センサによって提供された前記混合正確度出力を分析し、前記使い捨てセットが交換される必要があるかどうかを決定するようにプログラムされるコンピュータと
を備える、医療流体送達システム。
（項目２８）
前記コンピュータは、ローリング平均を使用し、前記使い捨てセットが交換される必要があるかどうかを決定するようにプログラムされる、項目２８に記載の医療流体送達システム。
（項目２９）
前記コンピュータは、前記医療流体送達機械のためのコンピュータまたは前記医療流体送達機械から遠隔に位置するコンピュータである、項目２８に記載の医療流体送達システム。
（項目３０）
前記コンピュータは、前記使い捨てセットが（ｉ）現在交換される必要があるか、または（ｉｉ）将来の処置のために交換される必要があるかのうちの少なくとも１つを決定するようにプログラムされる、項目２８に記載の医療流体送達システム。
【国際調査報告】
2019534745.tif 000011
2019534745.tif 000012
2019534745.tif 000013
2019534745.tif 000014